(57)【特許請求の範囲】
【請求項１】
プリント・ヘッドを用いてプリント媒体にプリントを行うプリント装置において、
位置合わせされる第１プリントおよび第２プリントにより形成されるパターンであって、該第１プリントと該第２プリントとの相対的なプリント位置の複数のずれ量に対応してそれぞれ形成され、該複数のずれ量に対応してそれぞれ光学特性を示す複数のパターンを前記プリント・ヘッドに形成させる制御手段と、
前記制御手段により形成された複数のパターンそれぞれの光学特性を測定する光学特性測定手段と、
前記光学特性測定手段により測定された複数のパターンそれぞれの光学特性に基づいて導かれる近似式から、前記第１プリントと前記第２プリントのプリント位置を合わせるプリント位置合わせ条件を算出する算出手段と、
前記算出手段によって算出された前記プリント位置合わせ条件に基づいて前記第１プリントと前記第２プリントとのプリント位置合わせ処理を行うプリント位置合わせ手段と
を備えたことを特徴とするプリント装置。
【請求項２】
請求項１に記載のプリント装置において、前記第１プリントおよび前記第２プリントは、プリント・ヘッドがプリント媒体に対して往復走査してプリントを行う場合のそれぞれ往走査でのプリントおよび復走査でのプリントであることを特徴とするプリント装置。
【請求項３】
請求項１に記載のプリント装置において、
前記第１プリントおよび前記第２プリントは、複数のプリント・ヘッドのうちそれぞれ第１のプリント・ヘッドによるプリントおよび第２のプリント・ヘッドによるプリントであり、
前記制御手段は、前記第１および第２プリント・ヘッドがプリント媒体に対して相対的に往復走査する方向のずれ量に関するパターンを形成することを特徴とするプリント装置。
【請求項４】
請求項１ないし３のいずれかに記載のプリント装置において、前記制御手段は、プリント装置が制御可能なプリント位置のピッチよりも距離の長いピッチでパターンの形成をさせることを特徴とするプリント装置。
【請求項５】
請求項１ないし４のいずれかに記載のプリント装置において、前記プリント位置合わせ手段は、直線近似または多項式近似を用いた計算により、プリント位置を合わせるプリント位置合わせ条件を算出することを特徴とするプリント装置。
【請求項６】
請求項１に記載のプリント装置において、
前記第１プリントおよび第２プリントは、複数のプリント・ヘッドのうちそれぞれ第１のプリント・ヘッドによるプリントおよび第２のプリント・ヘッドによるプリントであり、
前記制御手段は前記第１および第２プリント・ヘッドがプリント媒体に対して相対的に往復走査する方向とは異なる方向のずれ量に関するパターンを形成することを特徴とするプリント装置。
【請求項７】
請求項１ないし６のいずれかに記載のプリント装置において、前記制御手段は、前記第１プリントによるドットと前記第２プリントによるドットを配し、前記複数のずれ量に対応して前記ドット相互の位置関係を変化させて当該ドットのプリント媒体を覆う比率を変化させることにより、前記ずれ量に応じた光学特性を示す複数のパターンを形成させることを特徴とするプリント装置。
【請求項８】
請求項１ないし７のいずれかに記載のプリント装置において、前記制御手段は、前記複数のパターンにおいて、ずれ量が大きくなるに従い、光学特性としての濃度が減少するパターンを形成させることを特徴とするプリント装置。
【請求項９】
請求項７または８に記載のプリント装置において、前記制御手段は、前記ドットのプリント媒体を覆う比率の最大をほぼ１００％とすることを特徴とするプリント装置。
【請求項１０】
請求項１ないし７のいずれかに記載のプリント装置において、前記制御手段は、前記複数のパターンにおいてずれ量が大きくなるに従い光学特性としての濃度が増加するパターンを形成させることを特徴とするプリント装置。
【請求項１１】
請求項７ないし１０のいずれかに記載のプリント装置において、前記光学特性測定手段は、前記複数のパターンそれぞれの平均光学特性をそれぞれ測定することを特徴とするプリント装置。
【請求項１２】
請求項８又は９に記載のプリント装置において、前記プリント位置合わせ手段は、前記複数のパターンについて測定されるそれぞれの光学特性としての濃度に基づいて連続的な濃度分布を求め、該連続的濃度分布の最大値に対応するずれ量の条件を最適な位置合わせ条件として設定することを特徴とするプリント装置。
【請求項１３】
請求項１ないし１２のいずれかに記載のプリント装置において、前記光学特性測定手段によって測定された光学特性が、前記プリント位置合わせ手段によるプリント位置合わせ処理に十分な光学特性か否かを判断し、前記光学特性が不十分であると判断されたときに前記制御手段により形成されるパターンの光学特性を変更する光学特性変更手段をさらに備えたことを特徴とするプリント装置。
【請求項１４】
請求項８ないし１３のいずれかに記載のプリント装置において、前記光学特性測定手段によって測定された複数の光学特性としての濃度が、前記プリント位置合わせ手段による位置合わせ処理に十分な程度に、前記ずれ量が大きくなるに従い光学特性が減少または増加するか否かを判断し、前記光学特性の減少または増加が位置合わせ処理に不十分であると判断されたときに前記制御手段により形成される前記複数のパターンを変更するパターン変更手段をさらに備えたことを特徴とするプリント装置。
【請求項１５】
請求項１に記載のプリント装置において、
前記制御手段は、所定パッチ内の打ち込み率を変化させた複数のパターンをプリントし、キャリッジに搭載された光学センサと前記プリントされたパターンとが対応する位置となるように前記キャリッジまたはプリント媒体のいずれか一方もしくはその両方を移動させ、前記各パッチの打ち込み率に対する光学反射率を測定し、該測定された光学反射率の分布から光学反射率が打ち込み率に対して変化率が大きくなる領域を求め、該領域で最も光学反射率の小さい最適打ち込み率を求める最適打ち込み率判定手段をさらに備えたことを特徴とするプリント装置。
【請求項１６】
請求項１に記載のプリント装置において、
前記制御手段は、複数のプリント・ヘッド毎に所定パッチ内の打ち込み率を変化させた複数のパターンをプリントし、キャリッジに搭載された光学センサと前記プリントされたパターンとが対応する位置となるように前記キャリッジまたはプリント媒体のいずれか一方もしくはその両方を移動させ、前記各パッチの光学反射率を測定し、該測定された光学反射率の分布から光学反射率が打ち込み率に対して変化率が大きくなる領域を求め、該領域で最も光学反射率の小さい最適打ち込み率を複数のプリント・ヘッド毎に求める最適打ち込み率判定手段をさらに備えたことを特徴とするプリント装置。
【請求項１７】
プリント・ヘッドを用いてプリント媒体にプリントを行うプリント装置において、
位置合わせされる第１プリントおよび第２プリントにより形成されるパターンであって、前記第１プリントと前記第２プリントとの相対的なプリント位置の複数のずれ量に対応して各々形成され、前記ずれ量に対応して各々光学特性を示す複数のパターンを前記プリント・ヘッドに形成させる制御手段と、
前記制御手段により形成された複数のパターンの各々の光学特性を測定して得られるプリント位置合わせ条件を、プリント装置に知らせるプリント位置合わせ条件選択手段と、
前記プリント位置合わせ条件選択手段により知らされた前記情報に基づき、前記第１プリントと前記第２プリントのプリント位置合わせ処理を行うプリント位置合わせ手段とを備え、
前記制御手段は、前記パターンのプリントを相対的に異なる発色のインクにより行う場合に、前記第１プリントと前記第２プリントのいずれか一方に相対的に薄いインクを用い、該相対的に薄いインクのプリント時に同じ位置に吐出する吐出数が、相対的に濃いインクのプリント時よりも多くなるようインクをプリント媒体に打ち込んで所定のパターンをプリントすることを特徴とするプリント装置。
【請求項１８】
請求項１７に記載のプリント装置において、
前記第１プリントおよび前記第２プリントは、複数のプリント・ヘッドのうちそれぞれ第１プリント・ヘッドによるプリントおよび第２プリント・ヘッドによるプリントであり、
前記制御手段は、前記第１プリント・ヘッドおよび第２プリント・ヘッドがプリント媒体に対して相対的に走査する方向のずれ量に関するパターンを形成することを特徴とするプリント装置。
【請求項１９】
請求項１７に記載のプリント装置において、
前記第１プリントおよび第２プリントは、プリント・ヘッドがプリント媒体に対して往復走査してプリントを行う場合の各々往走査でのプリントおよび復走査でのプリントであることを特徴とするプリント装置。
【請求項２０】
請求項１８または１９に記載のプリント装置において、
前記プリント位置合わせ条件選択手段は、前記制御手段により形成された複数のパターンの各々の光学特性を測定した結果に基づいて導かれる近似式から、前記第１プリントと前記第２プリントのプリント位置合わせ条件を算出することを特徴とするプリント装置。
【請求項２１】
請求項１８または１９に記載のプリント装置において、
前記プリント位置合わせ条件選択手段は、あらかじめプリント・ヘッドに該プリント・ヘッドが使用するインク濃度の情報、または前記パターンを形成するときにインク量を吐出する条件の情報を与えておき、該情報により打ち込むインク量を相対的に変えることを特徴とするプリント装置。
【請求項２２】
プリント・ヘッドを用いプリント媒体にプリントを行うプリント装置のプリント位置合わせ方法において、
位置合わせされる第１プリントおよび第２プリントにより形成されるパターンであって、該第１プリントと該第２プリントとの相対的なプリント位置の複数のずれ量に対応してそれぞれ形成され、該複数のずれ量に対応してそれぞれ光学特性を示す複数のパターンを前記プリント・ヘッドにより形成するステップと、
前記形成された複数のパターンそれぞれの光学特性を測定するステップと、
前記測定された複数のパターンそれぞれの光学特性に基づいて導かれる近似式から、前記第１プリントと前記第２プリントのプリント位置を合わせるプリント位置合わせ条件を算出するステップと、
前記算出されたプリント位置合わせ条件に基づいて前記第１プリントと前記第２プリントとのプリント位置合わせ処理を行うステップと
を備えたことを特徴とするプリント位置合わせ方法。
【発明の詳細な説明】
【０００１】
【発明の属する技術分野】
本発明はプリント装置およびプリント位置合わせ方法に関し、詳しくはプリント・ヘッドの往走査および復走査の双方向でプリントを行う場合のプリント位置合わせや、複数のプリント・ヘッドを用いてプリントする場合のヘッド間の位置合わせに関するものである。
【０００２】
【従来の技術】
従来のこの種のプリント位置合わせは一般に次のように行っている。
【０００３】
例えば往復プリントにおける往走査と復走査のプリント位置合わせは、往走査、復走査それぞれでプリント・タイミングを調整することにより往復走査の相対的なプリント位置合わせ条件を変化させ、それぞれのプリント位置合わせ条件で往復走査を行ない罫線をプリント媒体上にプリントする。そして、ユーザー等がそのプリント結果を観察し、最も位置の合っているプリント条件を選択してプリント装置またはホスト・コンピュータなどでその位置合わせに関するプリント条件の設定をするものである。
【０００４】
複数ヘッドを有する場合のヘッド間の位置合わせにおいては、相対的なプリント位置合わせ条件を変えて、それぞれのヘッドで罫線をプリントし、前記と同様にユーザー等が最もプリント位置が合っている条件を選び、プリント装置やホスト・コンピュータなどにおいて、そのプリント位置合わせ条件を設定する。
【０００５】
【発明が解決しようとする課題】
しかしながらこのような従来の位置合わせ方法は、ユーザー等がプリント結果を見て位置合わせ条件を選び、そのプリント条件の設定作業をしなければならないという煩雑さを伴うことが多い。このような煩雑さを嫌うユーザーは、プリント位置合わせを行わず、往復各走査間のプリント位置ずれや、複数のヘッド間のプリント位置ずれが生じた状態でプリント装置を使用する場合も考えられる。
【０００６】
さらに従来の位置合わせ方法では、プリントされたパターンの各プリント位置合わせ条件の中からしか、プリント位置を選ぶことはできない。より高精度にプリント位置を合わせようとすれば、例えば、微妙にプリント位置合わせ条件を変えたパターンを数多くプリントし、ユーザーはその中から微妙な違いを見分けて、プリント位置合わせ条件を選択しなければならない。これは、ユーザーの煩雑さに加えて、プリント位置合わせ時間にかかる時間も長くし、紙面に多くのパターンをプリントしなければならないと言う欠点を伴う。
【０００７】
そこで本発明の目的は、ユーザー等を煩らわすことなくプリント位置合わせを行うことができるプリント装置およびプリント位置合わせ方法を提供することにある。
【０００８】
本発明の他の目的は、プリント位置合わせにおいて、使用するインクによらず、最適な位置合わせを行う方法を提供することにある。
【０００９】
【課題を解決するための手段】
本発明は、このような目的を達成するために、請求項１に記載の発明は、プリント・ヘッドを用いてプリント媒体にプリントを行うプリント装置において、位置合わせされる第１プリントおよび第２プリントにより形成されるパターンであって、該第１プリントと該第２プリントとの相対的なプリント位置の複数のずれ量に対応してそれぞれ形成され、該複数のずれ量に対応してそれぞれ光学特性を示す複数のパターンを前記プリント・ヘッドに形成させる制御手段と、前記制御手段により形成された複数のパターンそれぞれの光学特性を測定する光学特性測定手段と、前記光学特性測定手段により測定された複数のパターンそれぞれの光学特性に基づいて導かれる近似式から、前記第１プリントと前記第２プリントのプリント位置を合わせるプリント位置合わせ条件を算出する算出手段と、前記算出手段によって算出された前記プリント位置合わせ条件に基づいて前記第１プリントと前記第２プリントとのプリント位置合わせ処理を行うプリント位置合わせ手段とを備えたことを特徴とするものである。
【００１０】
請求項２に記載の発明は、請求項１に記載のプリント装置において、前記第１プリントおよび前記第２プリントは、プリント・ヘッドがプリント媒体に対して往復走査してプリントを行う場合のそれぞれ往走査でのプリントおよび復走査でのプリントであることを特徴とするものである。
【００１１】
請求項３に記載の発明は、請求項１に記載のプリント装置において、前記第１プリントおよび前記第２プリントは、複数のプリント・ヘッドのうちそれぞれ第１のプリント・ヘッドによるプリントおよび第２のプリント・ヘッドによるプリントであり、前記制御手段は、前記第１および第２プリント・ヘッドがプリント媒体に対して相対的に走査する方向のずれ量に関するパターンを形成することを特徴とするものである。
【００１２】
請求項４に記載の発明は、請求項１ないし３のいずれかに記載のプリント装置において、前記制御手段は、プリント装置が制御可能なプリント位置のピッチよりも距離の長いピッチでパターンの形成をさせることを特徴とするプものである。
【００１３】
請求項５に記載の発明は、請求項１ないし４のいずれかに記載のプリント装置において、前記プリント位置合わせ手段は、直線近似または多項式近似を用いた計算により、プリント位置を合わせるプリント位置合わせ条件を算出することを特徴とするものである。
【００１５】
請求項６に記載の発明は、請求項１に記載のプリント装置において、前記第１プリントおよび第２プリントは、複数のプリント・ヘッドのうちそれぞれ第１のプリント・ヘッドによるプリントおよび第２のプリント・ヘッドによるプリントであり、前記制御手段は前記第１および第２プリント・ヘッドがプリント媒体に対して相対的に往復走査する方向とは異なる方向のずれ量に関するパターンを形成することを特徴とするものである。
【００１６】
請求項７に記載の発明は、請求項１ないし６のいずれかに記載のプリント装置において、前記制御手段は、前記第１プリントによるドットと前記第２プリントによるドットを配し、前記複数のずれ量に対応して前記ドット相互の位置関係を変化させて当該ドットのプリント媒体を覆う比率を変化させることにより、前記ずれ量に応じた光学特性を示す複数のパターンを形成させることを特徴とするものである。
【００１７】
請求項８に記載の発明は、請求項１ないし７のいずれかに記載のプリント装置において、前記制御手段は、前記複数のパターンにおいて、ずれ量が大きくなるに従い、光学特性としての濃度が減少するパターンを形成させることを特徴とするものである。
【００１８】
請求項９に記載の発明は、請求項７または８に記載のプリント装置において、前記制御手段は、前記ドットのプリント媒体を覆う比率の最大をほぼ１００％とすることを特徴とするものである。
【００２０】
請求項１０に記載の発明は、請求項１ないし７のいずれかに記載のプリント装置において、前記制御手段は、前記複数のパターンにおいてずれ量が大きくなるに従い光学特性としての濃度が増加するパターンを形成させることを特徴とするものである。
【００２１】
請求項１１に記載の発明は、請求項７ないし１０のいずれかに記載のプリント装置において、前記光学特性測定手段は、前記複数のパターンそれぞれの平均光学特性をそれぞれ測定することを特徴とするものである。
【００２５】
請求項１２に記載の発明は、請求項８又は９に記載のプリント装置において、前記プリント位置合わせ手段は、前記複数のパターンについて測定されるそれぞれの光学特性としての濃度に基づいて連続的な濃度分布を求め、該連続的濃度分布の最大値に対応するずれ量の条件を最適な位置合わせ条件として設定することを特徴とするものである。
【００２９】
請求項１３に記載の発明は、請求項１ないし１２のいずれかに記載のプリント装置において、前記光学特性測定手段によって測定された光学特性が、前記プリント位置合わせ手段によるプリント位置合わせ処理に十分な光学特性か否かを判断し、前記光学特性が不十分であると判断されたときに前記制御手段により形成されるパターンの光学特性を変更する光学特性変更手段をさらに備えたことを特徴とするものである。
【００３０】
請求項１４に記載の発明は、請求項８ないし１３のいずれかに記載のプリント装置において、前記光学特性測定手段によって測定された複数の光学特性としての濃度が、前記プリント位置合わせ手段による位置合わせ処理に十分な程度に、前記ずれ量が大きくなるに従い光学特性が減少または増加するか否かを判断し、前記光学特性の減少または増加が位置合わせ処理に不十分であると判断されたときに前記制御手段により形成される前記複数のパターンを変更するパターン変更手段をさらに備えたことを特徴とするものである。
【００３２】
請求項１５に記載の発明は、請求項１記載のプリント装置において、前記制御手段は、所定パッチ内の打ち込み率を変化させた複数のパターンをプリントし、キャリッジに搭載された光学センサと前記プリントされたパターンとが対応する位置となるように前記キャリッジまたはプリント媒体のいずれか一方もしくはその両方を移動させ、前記各パッチの打ち込み率に対する光学反射率を測定し、該測定された光学反射率の分布から光学反射率が打ち込み率に対して変化率が大きくなる領域を求め、該領域で最も光学反射率の小さい最適打ち込み率を求める最適打ち込み率判定手段をさらに備えたことを特徴とするものである。
【００３６】
請求項１６に記載の発明は、請求項１記載のプリント装置において、前記制御手段は、複数のプリント・ヘッド毎に所定パッチ内の打ち込み率を変化させた複数のパターンをプリントし、キャリッジに搭載された光学センサと前記プリントされたパターンとが対応する位置となるように前記キャリッジまたはプリント媒体のいずれか一方もしくはその両方を移動させ、前記各パッチの光学反射率を測定し、該測定された光学反射率の分布から光学反射率が打ち込み率に対して変化率が大きくなる領域を求め、該領域で最も光学反射率の小さい最適打ち込み率を複数のプリント・ヘッド毎に求める最適打ち込み率判定手段をさらに備えたことを特徴とするものである。
【００４０】
請求項１７に記載の発明は、プリント・ヘッドを用いてプリント媒体にプリントを行うプリント装置であって、位置合わせされる第１プリントおよび第２プリントにより所定の打ち込み率を備えて形成されるパターンであって、前記第１プリントと前記第２プリントとの相対的なプリント位置の複数のずれ量に対応して各々形成され、前記ずれ量に対応して各々光学特性を示す複数のパターンを前記プリント・ヘッドに形成させる制御手段と、前記制御手段により形成された複数のパターンの各々の光学特性を測定して得られるプリント位置合わせ条件を、プリント装置に知らせるプリント位置合わせ条件選択手段と、前記プリント位置合わせ条件選択手段により知らされた前記情報に基づき、前記第１プリントと前記第２プリントのプリント位置合わせ処理を行うプリント位置合わせ手段とを備え、前記制御手段は、前記パターンのプリントを相対的に異なる発色のインクにより行う場合に、前記第１プリントと前記第２プリントのいずれか一方に相対的に薄いインクを用い、該相対的に薄いインクのプリント時に同じ位置に吐出する吐出数が、相対的に濃いインクのプリント時よりも多くなるようインクをプリント媒体に打ち込んで所定のパターンをプリントすることを特徴とするものである。
【００４１】
請求項１８に記載の発明は、請求項１７記載のプリント装置において、前記第１プリントおよび前記第２プリントは、複数のプリント・ヘッドのうちそれぞれ第１プリント・ヘッドによるプリントおよび第２プリント・ヘッドによるプリントであり、前記制御手段は、前記第１プリント・ヘッドおよび第２プリント・ヘッドがプリント媒体に対して相対的に走査する方向のずれ量に関するパターンを形成することを特徴とする。
【００４２】
請求項１９に記載の発明は、請求項１７記載のプリント装置において、前記第１プリントおよび第２プリントは、プリント・ヘッドがプリント媒体に対して往復走査してプリントを行う場合の各々往走査でのプリントおよび復走査でのプリントとすることを特徴とするものである。
【００４４】
請求項２０に記載の発明は、請求項１８または１９に記載のプリント装置において、前記プリント位置合わせ条件選択手段は、前記制御手段により形成された複数のパターンの各々の光学特性を測定した結果に基づいて導かれる近似式から、前記第１プリントと前記第２プリントのプリント位置合わせ条件を算出することを特徴とするものである。
【００４５】
請求項２１に記載の発明は、請求項１８または１９に記載のプリント装置において、前記プリント位置合わせ条件選択手段は、あらかじめプリント・ヘッドに該プリント・ヘッドが使用するインク濃度の情報、または前記パターンを形成するときにインク量を吐出する条件の情報を与えておき、該情報により打ち込むインク量を相対的に変えることを特徴とするものである。
【００５１】
請求項２２に記載の発明は、プリント・ヘッドを用いプリント媒体にプリントを行うプリント装置のプリント位置合わせ方法であって、位置合わせされる第１プリントおよび第２プリントにより形成されるパターンであって、該第１プリントと該第２プリントとの相対的なプリント位置の複数のずれ量に対応してそれぞれ形成され、該複数のずれ量に対応してそれぞれ光学特性を示す複数のパターンを前記プリント・ヘッドにより形成するステップと、前記形成された複数のパターンそれぞれの光学特性を測定するステップと、前記測定された複数のパターンそれぞれの光学特性に基づいて導かれる近似式から、前記第１プリントと前記第２プリントのプリント位置を合わせるプリント位置合わせ条件を算出するステップと、前記算出されたプリント位置合わせ条件に基づいて前記第１プリントと前記第２プリントとのプリント位置合わせ処理を行うステップと
を備えたことを特徴とする。
【００５３】
本発明のプリント位置合わせ方法の他の形態は、プリント位置合わせ条件に応じて濃度の変わるパターンをプリントし、光学センサにより多値レベルの濃度データを取得する。さらにそのデータを用いて、プリント・パターンに使った複数の種類の位置合わせ条件と比べて、より細かい位置合わせ条件のピッチ、より高い解像度、より多い位置条件のポイント、あるいはプリント・パターンに使っていないプリント位置合わせ条件のポイントについて、最適なプリント位置合わせ条件を数値計算により算出する計算を行う。その結果を用いて、より細かい位置条件のピッチ、より高い解像度、より多い位置条件のポイント、あるいはプリント・パターンに使っていないプリント位置合わせ条件のポイントからプリント位置合わせ条件を選ぶことが可能である。これにより、プリント・パターンに用いたレジ条件より高精度にプリント位置合わせ条件を選択することが可能となる。
【００５４】
さらに、高精度にプリント位置合わせ条件を合わせるために、ユーザーが微妙な違いのプリント・パターンからプリント位置合わせ条件を選択する煩雑さをなくすことができる。
【００５５】
さらにまた、より少ないプリント・パターンでより高精度にプリント位置を合わせることができるので、プリントに必要となるパターンを少なくすることで、プリント位置合わせにかかる時間を短縮できる。
【００５６】
本発明のプリント位置合わせ方法の他の形態は、第１のプリントと、第２のプリントによるプリントの位置合わせを行う場合、最適なプリント位置でプリント結果の濃度が最も高くなるパターン（パッチ）を、打ち込み率とプリント位置合わせ条件を変えながらプリントする。その濃度をキャリッジ上に搭載した光学センサで読み取り、位置合わせによる光学反射率の相対関係を計算する。最も光学反射率の変化量が大きい打ち込み率のパターンの中から最適な位置合わせ条件を算出する。これにより滲みによる影響を軽減した上で最適なプリント位置合わせをすることが可能となる。さらに、あらかじめ打ち込み率を変化させた一様なパターンをプリントし、その光学反射率を測定し最も変化量が大きな打ち込み率を算出し、その打ち込み率でプリント位置合わせを行うパターンをプリントする方法も可能である。
【００５７】
以上の構成によれば、プリント位置合わせに用いられるインクの濃度に応じてインクの打ち込み量を変えてプリント位置合わせパターンのプリントを行い、プリントされたプリント・パターンから得られる情報を元に位置合わせが行われる。これにより、従来の方法では苦手とされる濃淡のインクを組み合わせてのプリント位置合わせであっても、相対的に薄いインクにおいては相対的に多量のインクをプリント媒体に打ち込むことになり、より最適な位置合わせを行うことが可能となる。
【００５８】
さらに以上の構成によれば、プリント位置の複数のずれ量に対応して形成される、それぞれのずれ量に応じた濃度を示す複数のパターンを形成し、これらパターンについて測定された複数の濃度に基づいてプリント位置合わせ処理を行なうので、例えばパターンが示す濃度のうち最も濃度高い条件又は最も低い条件をプリント位置が合った条件として設定することができる。
【００５９】
なお、本明細書において、「プリント」とは、文字、図形等有意の情報を形成する場合のみならず、有意無意を問わず、また人間が視覚で知覚し得るように顕在化したものであるか否かを問わず、プリント媒体上に、広く画像、模様、パターン等を形成する、または媒体の加工を行う場合も言うものとする。
【００６０】
ここで、「プリント媒体」とは、一般的なプリント装置で用いられる紙のみならず、広く、布、プラスチック・フィルム、金属板等、インクを受容可能な物も言うものとする。
【００６１】
さらに、「インク」とは、上記「プリント」の定義と同様広く解釈されるべきもので、プリント媒体上に付与されることによって、画像、模様、パターン等の形成またはプリント媒体の加工に供され得る液体を言うものとする。
【００６２】
本明細書において、光学特性としては光学濃度、すなわち反射率を用いた反射光学濃度と透過率を用いた透過光学濃度を用いる。しかし、光学反射率や反射光強度等を用いることもできる。本明細書においては、特に混乱の無い限り、反射光学濃度を光学濃度または単に濃度と省略して用いている。
【００６３】
【発明の実施の形態】
本発明の一実施の形態に係るプリント位置合わせ方法及びプリント装置では、相互に位置合わせが行われるべき往、復それぞれのプリントや複数ヘッドそれぞれのプリント（以下、「第１のプリント」および「第２のプリント」ともいう）をプリント媒体上の同一位置に行う。さらにそれを、第１のプリントと、第２のプリントの相対的な位置条件を変えて、複数条件のプリントを行う。そして、このプリントの解像度より低い解像度の光学センサで、それぞれのプリントの濃度を読みとり、それらの濃度値の相対的な関係より、最もプリント位置が合っている条件を計算する。この計算は、どのようなパターンをプリントするかによる。
【００６４】
本発明の一実施の形態では、プリント媒体に対しプリント・ヘッドを往，復双方向のプリントを行ない、往復走査で画像を形成するシリアル・プリンタにおける往走査と復走査のプリント位置合わせでは、プリント位置合わせのための往走査のプリントに用いる第１のプリント・パターンと、復走査のプリントに用いる第２のプリント・パターンに次のものを用いる。
【００６５】
理想的な位置合わせ条件で往復プリントを行った場合のプリント・パターンは、往走査によるプリント・ドットと復走査によるプリント・ドットのキャリッジ走査方向における距離が、好ましくは形成されるドット径の１／２ないし１倍の範囲であり、かつ相互の位置がずれていくに従い、プリント部の平均的濃度が減少するパターンである。このパターンを用いることにより、プリント位置が合っているかどうかを、プリントされる部分（以下「プリント部」という。）の平均濃度に反映させることができ、この濃度をキャリッジに搭載した光学センサで測定し、それに基づく計算によりプリント位置合わせ条件を決定することができる。その計算方法としては、複数のプリント位置合わせ条件に対する濃度分布から所定の計算を行ない最もプリント位置が合っている条件を定めることができる。なお、プリント位置合わせに高い精度が必要とされず、より簡易な計算を行う構成とする場合は、例えば最も高い濃度データに対応するプリント条件を位置合わせ条件に選んでも良い。
【００６６】
他の実施の形態に係るプリント・パターンとして次のものを用いることもできる。往走査のプリントに用いる第１のパターンと、復走査のプリントに用いる第２のプリント・パターンは、理想的な位置合わせ条件でプリントを行った場合に、それぞれにプリントされたプリント・ドットが最も重なった状態になっている。このパターンでは、位置合わせ条件がずれていくに従い前記の重なっているドットがずれていき、プリント部の平均的濃度が増加する。このパターンを用いることによっても、往復のプリント位置が合っているかどうかをプリント部の濃度に反映させることができる。そして上記のようにキャリッジ搭載した光学センサで濃度を測定し、それらの濃度に基づく計算によりプリント位置があった条件を決定することができる。その計算の方法としては、複数のプリント位置合わせ条件に対する濃度分布から、最もプリント位置が合っている条件を決めることができる。本実施の形態では、より簡易な計算を行おうとする場合、最も低い濃度データに対応した位置合わせ条件を選択することができる。
【００６７】
以上、二つの実施の形態において、往復プリントの位置合わせを精度良く行うには、プリント媒体上のプリント部の濃度が、プリント位置合わせ条件のずれに対応して大きく変化することが望ましい。そのためにはプリント位置合わせのために往走査、復走査それぞれでプリントするパターンの、キャリッジ走査方向におけるプリント・ドット間隔が当該プリントされたドットの径に対して適切な距離であることが必要となる。一方、ドット径は、例えばインク・ジェット方式のプリント装置の場合、プリント媒体の特性や、インクの種類、プリント・ヘッドから吐出されるインク滴の体積などによって変化する。そこで、プリント位置合わせのためのパターン・プリントに先立って、キャリッジ走査方向におけるドット間距離を変えた複数の所定パターンをプリントし、その光学濃度を読みとり、その結果から、その時のドット径を判断し、プリント位置合わせのためのパターン・プリントのドット間の距離を調節することができる。これにより、用いるプリント媒体やインクの種類、インク滴の大きさ等によらず、適切なプリント位置合わせを行うことができる。
【００６８】
さらに往復プリントの位置合わせを精度良く行うためには、光学センサの出力の階調が十分であることが望ましい。そのためにはプリント位置合わせのためのプリント部の濃度が、ある所定範囲内に入っていることが必要である。例えば、発色特性の強いプリント媒体に黒インクでプリントを行った場合、プリント部が黒くなりすぎて、反射光の絶対量が少なくなり、光学センサの出力が足りない場合が考えられる。そこでプリント位置合わせのパターン・プリントに先立って、複数の所定パターンをプリントしその光学濃度を読みとり、その結果からその時の発色特性を評価する。この評価に基づいて、プリント位置合わせのためのプリント・パターンにおけるドットの間引きや重ね打ちを行なうことにより濃度を調節することもできる。
【００６９】
本発明のさらに他の実施の形態として、複数のプリント・ヘッドを有しそれらのプリント・ヘッドをプリント媒体に対し走査させて画像を形成するシリアル・プリンタにも本発明を適用できる。この場合におけるヘッド間のキャリッジ走査方向のプリント位置合わせについては、上述した往走査のプリントと復走査のプリントの代わりに、走査方向に配列する第１のヘッドによるプリントおよび第２のヘッドによるプリント相互の位置合わせとし、上述の往復プリントのプリント位置合わせの場合と同様に実施できる。
【００７０】
また複数のプリント・ヘッドがキャリッジ走査方向と垂直な方向に配列する場合のプリント位置合わせについても、上述した往走査のプリントと復走査のプリントとの代わりに上記垂直方向に配列する第１のヘッドによるプリントと第２のヘッドによるプリントを行ない、これに基づき前述の往復プリントのプリント位置合わせの場合と同様の位置合わせを行うことができる。
【００７１】
さらに、プリント・ヘッドをプリント装置に固定し、プリント媒体の搬送のみを行う、いわゆるフルライン・タイプのプリント装置でも、同様のプリント位置合わせを行うことができることは勿論である。
【００７２】
本発明は、滲みやすいインクやプリント媒体で印刷を行った場合にも適用できる。プリント媒体に一様なパターンをその打込み量を変化させて複数個プリントし、キャリッジ上のセンサで光学反射率を測定し、最も光学反射率の変化量が大きな打込み量の領域を算出する。その打込み量の領域でプリント位置合わせのパターンを相対的なプリント位置を変化させてプリントする。その光学反射率を測定し、その反射率が最も条件に合致した所、例えばプリント位置がずれる程パターンの反射率が大きくなる条件の場合は最も反射率が低い所を算出することにより最適なプリント位置を選定することができる。
【００７３】
またプリント媒体に、打込み量とプリント位置を変化させていったパターンをプリントし、その中から最も光学反射率の変化量が大きな打込み量と、その打込み量でのプリント位置合わせを変化させた時の最も光学反射率が低いところを算出し、最適なプリント位置を算出することも可能である。
【００７４】
次に、第１のヘッドと第２のヘッドで複数色のインクを用いた場合のプリント位置合わせに関しては、使用するインクが異種の場合、組成等により第１のヘッドによるプリントと第２のヘッドによるプリントとで滲み方が異なる。例えば普通紙などの滲みやすいプリント媒体で行うと、プリント位置を変化させてもお互いのドット同士が滲み、隣接してしまい、濃度変化が少なくなり、最適なプリント位置を選択することが困難な場合がある。
【００７５】
そこで、プリント位置合わせパターンで使用されるヘッド１のインクでプリント媒体に一様なパターンをその打込み量を変化させて複数個プリントし、キャリッジ上のセンサで濃度を測定し、光学反射率の変化量が大きな打込み量の領域を算出する。同様にプリント位置合わせパターンで使用されるヘッド２のインクでも上述と同様に最も光学反射率の変化量が大きな打ち込み量の領域を算出する。ヘッド１、ヘッド２で最適な打込み量領域でプリント位置合わせのパターンをプリント位置を変化させてプリントする。複数色のインクを用いた場合のプリント位置合わせにおいては、有色のインクに限らず、有色のインクと重ね打ちした場合に濃度が変わる透明なインクを用いることも可能である。
【００７６】
プリント媒体に、ヘッド１とヘッド２の打込み量とプリント位置を変化させていったパターンをプリントし、その中から最も光学反射率の変化量が大きな打込み量と、その打込み量でのプリント位置合わせを変化させた時の最も光学反射率が低いところを算出し、最適なプリント位置を算出することも可能である。
【００７７】
同様に複数のプリント・ヘッドを有し、それらのプリント・ヘッドにプリント媒体に対する走査を行わせて画像を形成させるシリアル・プリンタにおいて、プリント・ヘッド間のキャリッジ走査と異なる方向、例えば垂直な方向のプリント位置合わせを行う場合についても、これまでの往走査と、副走査のプリントの代わりに、第１のヘッドによるプリントと第２のヘッドによるプリントを行うことができる。前述の往復プリントのプリント位置合わせの場合と同様であるが、プリント位置合わせに用いるパターンは往復プリントの場合の説明と縦／横が入れ替わったものを用いる。
【００７８】
最適な位置合わせを行う場合は、自動位置合わせにおいても、ユーザーによる位置合わせにおいても、プリント媒体上の第１のプリントと第２のプリントによるプリント結果がある所定の濃度を超えていることが重要である。つまりインクが、濃インクかあるいは淡インクかによりインクの打ち込み量を変えることが重要であり、これを行うことによってインクによらず所定の濃度を得ることができ、より最適な位置合わせが可能となる。プリント部の濃度はプリント媒体の特性や、インクの種類、プリント・ヘッドからプリント媒体に打ち込むインク滴の体積などに依存するものである。したがって、複数のヘッドによるプリントの位置合わせを精度良く行うためには、ヘッド間のプリント位置合わせ条件の変化に対して、プリント媒体上のプリント部の濃度も大きく変わることが望ましい。
【００７９】
このためには、プリント位置合わせされる複数のヘッドによる、各々のプリント部の濃度は同程度であるほど望ましい。しかし、インク濃度の高いインクである濃インクと、インク濃度の低い淡インクを用いて位置合わせパターンのプリントを行った場合、ヘッド間でのプリント部の濃度に相対的な差が大きい。すなわち、ヘッド間の相対的なプリント位置を変化させても、濃インクによるプリント結果が支配的となり、位置合わせの判定に必要な濃度変化が得ることが出来ず、最適なプリント位置を選択することが困難となることがある。
【００８０】
そこで、プリント媒体にプリント位置合わせのパターンをプリントする前に、一様なパターンを打込み量を変化させて複数個プリントし、キャリッジ上のセンサで濃度を測定し、最も適した濃度変化率の打込み条件の領域を計算し、その打込み条件の領域でプリント位置合わせのパターンをプリント位置を変化させてプリントする。次に、濃度を測定し、最も濃度が高い所を算出し、最適なプリント位置を選定することができる。
【００８１】
あらかじめプリント・ヘッドに、搭載しているインクや、そのヘッドで位置合わせを行うのに必要とされるインク量等の条件を記録しておき、その条件の下でプリント位置合わせパターンをプリント位置を変化させてプリントし、最も濃度が高いところを算出し、最適なプリント位置を算出することも可能である。
【００８２】
複数色のインクを用いた場合のプリント位置合わせに関しては、インクの組み合わせやプリント媒体、また反射濃度検出に用いるセンサにより感度に差が生じることがある。
【００８３】
そこで、プリント媒体にプリント位置合わせのパターンをプリントする前に、各色均一なパターンを吐出量、打込み量、打込み回数を変化させて複数個プリントし、キャリッジ上の濃度センサで濃度を測定し、最も適した濃度の変化量の２色を選ぶ。この２色を用いてプリント位置合わせパターンをプリントし、最も濃度が高いところを算出することにより最適なプリント位置合わせをすることが可能である。
【００８４】
また各色全ての組合わせで一様なパターンを吐出量、打込み量、打込み回数を変化させ複数個プリントし、キャリッジ上の濃度センサで濃度を測定し、最も濃度の変化量が大きい色の組合わせを算出する。次に最も濃度変化率の大きい打込み条件の領域を計算し、その打込み条件の領域でプリント位置合わせのパターンをプリント位置を変化させてプリントする。そして濃度を測定し最も濃度が高い所を算出する。これにより最適なプリント位置が選定できる。
【００８５】
複数色のインクを用いた場合のプリント位置合わせにおいては、有色のインクに限らず、例えば有色のインクと重ね打ちした場合に、希釈または組成変化を起こして濃度を変えることのできるような透明なインクでも可能である。
【００８６】
本発明の他の実施の形態として、複数のプリント・ヘッドを有しそれらのプリント・ヘッドをプリント媒体に対して走査させ画像を形成するシリアル・プリンタにおいて、プリント位置合わせを光学センサを用いずに各ユーザーが目視により行うような場合にも本発明は適用できる。この場合におけるヘッド間のキャリッジ走査方向のプリント位置合わせについては、上述したプリント・パターンの替わりに、第１のプリントと第２のプリントの相対的な位置条件の変化を示す罫線のプリントを行う。この罫線のプリントを行う際に、位置合わせを行う各ヘッドのインクの濃度に応じて、インクの打ち込み条件を変える。このインクの違いに応じたインクの打ち込み量の変更により、最適な位置合わせ条件の選定ができる。
【００８７】
キャリッジ走査方向と垂直な方向のプリント位置合わせについても、そのプリント・パターンとして上記二つの実施の形態において使用したプリント・パターンと縦／横が入れ替わったものを用いて実施することができる。上記の実施の形態同様、複数のプリント・ヘッドにプリント媒体に対する走査を行わせて、画像を形成させるシリアル・プリンタにおいて、プリント・ヘッド間に、第１のヘッドによるプリントと第２のヘッドによるプリントを行わせ実行させることができる。往復プリントにおけるプリント位置合わせも第１のプリントと第２のプリントを用いることで上記いずれの実施の形態についても、同様に行うことが出来る。
【００８８】
以下、図面を参照して本発明の実施の形態を詳細に説明する。なお、各図において、同一符号で示す要素はそれぞれ同一または対応する要素を示すものとする。
【００８９】
［実施の形態１］
本発明の実施の形態１は、一つのプリント・ヘッドについて往走査と復走査を行ないそれぞれで相補的なプリントを行うことにより画像を形成するプリント方式において、往走査のプリント位置と復走査のプリント位置を相互に位置合わせするものである。なお、この例では、用いるプリント媒体が一種類の場合について説明する。
【００９０】
（プリント装置の構成１）
図１は、本発明を適用したインク・ジェット・プリント装置の一実施の形態の要部構成を示す模式的斜視図である。
【００９１】
図１において、複数（４個）のヘッド・カートリッジ１Ａ，１Ｂ，１Ｃ，１Ｄがキャリッジ２に交換可能に搭載されている。各ヘッド・カートリッジ１Ａないし１Ｄのそれぞれは、プリント・ヘッド部およびインク・タンク部を有し、また、ヘッド部を駆動するための信号などを授受するためのコネクタが設けられている。以下の説明では、ヘッド・カートリッジ１Ａないし１Ｄの全体または任意の一つを示す場合、単にプリント・ヘッド１またはヘッド・カートリッジ１で示すことにする。
【００９２】
複数のヘッド・カートリッジ１は、それぞれ異なる色のインクでプリントを行うものであり、それらのインク・タンク部には例えばブラック，シアン，マゼンタ，イエローなどの異なるインクがそれぞれ収納されている。各ヘッド・カートリッジ１はキャリッジ２に位置決めして交換可能に搭載されており、キャリッジ２には、上記コネクターを介して各ヘッド・カートリッジ１に駆動信号等を伝達するためのコネクタ・ホルダ（電気接続部）が設けられている。
【００９３】
キャリッジ２は、主走査方向に延在して装置本体に設置されたガイド・シャフト３に沿って往復移動可能に案内支持されている。そして、キャリッジ２は主走査モータ４によりモータ・プーリ５、従動プーリ６およびタイミング・ベルト７等の駆動機構を介して駆動されるとともにその位置及び移動が制御される。プリント用紙やプラスチック薄板等のプリント媒体８は、２組の搬送ローラ９，１０および１１，１２の回転により、ヘッド・カートリッジ１の吐出口面と対向する位置（プリント部）を通って搬送（紙送り）される。なお、プリント媒体８は、プリント部において平坦なプリント面を形成するように、その裏面をプラテン（不図示）により支持されている。この場合、キャリッジ２に搭載された各ヘッド・カートリッジ１は、それらの吐出口面がキャリッジ２から下方へ突出して前記２組の搬送ローラ対の間でプリント媒体８と平行になるように保持されている。また、反射型光学センサ３０がキャリッジに設けられている。
【００９４】
ヘッド・カートリッジ１は、熱エネルギーを利用してインクを吐出するインク・ジェット・ヘッド・カートリッジであって、熱エネルギーを発生するための電気熱変換体を備えたものである。すなわちヘッド・カートリッジ１のプリント・ヘッドは、上記電気熱変換体によって印加される熱エネルギーによって生じる膜沸騰により生じる気泡の圧力を利用して、吐出口よりインクを吐出してプリントを行うものである。
【００９５】
（プリント装置の構成２）
図２は、本発明を適用したインク・ジェット・プリント装置の他の実施の形態の要部構成を示す模式的斜視図である。図２において、図１と同じ符号を付した部分は図１と同じ機能を有するため、説明は省略する。
【００９６】
図２において、複数（６個）のヘッド・カートリッジ４１Ａ，４１Ｂ，４１Ｃ，４１Ｄ，４１Ｅ，４１Ｆがキャリッジ２に交換可能に搭載されている。各カートリッジ４１Ａないし４１Ｆのそれぞれには、プリント・ヘッド部を駆動する信号を受けるためのコネクターが設けられている。なお以下の説明では前記ヘッド・カートリッジ４１Ａないし４１Ｆの全体または任意の１  つを指す場合、単にプリント・ヘッド４１またはヘッド・カートリッジ４１で示すことにする。複数のヘッド・カートリッジ４１は、それぞれ異なる色のインクでプリントするものであり、それらのインク・タンク部には例えばブラック、シアン、マゼンタ、イエロー、淡シアン、淡マゼンタなどの異なるインクが収納されている。各ヘッド・カートリッジ４１はキャリッジ２に位置決めして交換可能に搭載されており、該キャリッジ２には、前記コネクターを介して各ヘッド・カートリッジ４１に駆動信号等を伝達するためのコネクタ・ホルダ（電気接続部）が設けられている。
【００９７】
図３は、ヘッド・カートリッジ１または４１のプリント・ヘッド部１３の主要部構造を部分的に示す模式的斜視図である。
【００９８】
図３において、プリント媒体８と所定の隙間（例えば約０．５ないし２．０ミリ程度）において対面する吐出口面２１には、所定のピッチで複数の吐出口２２が形成され、共通液室２３と各吐出口２２とを連通する各液路２４の壁面に沿ってインク吐出の利用されるエネルギーを発生するための電気熱変換体（発熱抵抗体など）２５が配設されている。本例においては、ヘッド・カートリッジ１または４１は、吐出口２２がキャリッジ２の走査方向と交差する方向に並ぶような位置関係でキャリッジ２に搭載されている。こうして、画像信号または吐出信号に基づいて対応する電気熱変換体（以下においては、「吐出ヒータ」ともいう）２５を駆動（通電）して、液路２４内のインクを膜沸騰させ、そのときに発生する圧力によって吐出口２２からインクを吐出させるプリント・ヘッド１３が構成される。
【００９９】
図４は、図１または図２に示した反射型光学センサ３０を説明するための模式図である。
【０１００】
図４に示すように、反射型光学センサ３０は上述したようにキャリッジ２に取り付けられ、発光部３１と受光部３２を有するものである。発光部３１から発した光（入射光）Ｉｉｎ３５はプリント媒体８で反射し、その反射光Ｉｒｅｆ３７を受光部３２で検出することができる。そしてその検出信号はフレキシブル・ケーブル（不図示）を介してプリント装置の電気基板上に形成される制御回路に伝えられ、そのＡ／Ｄ変換器によりディジタル信号に変換される。光学センサ３０がキャリッジ２に取付けられる位置は、インク等の飛沫の付着を防ぐため、プリント走査時にプリント・ヘッド１または４１の吐出口部が通過する部分を通らない位置としてある。このセンサ３０は比較的低解像度のものを用いることができるため、低コストのもので済む。
【０１０１】
図５は、上記インク・ジェット・プリント装置における制御回路の概略構成例のブロック図を示す。
【０１０２】
図５において、コントローラ１００は主制御部であり、例えばマイクロ・コンピュータ形態のＣＰＵ１０１、プログラムや所要のテーブルその他の固定データを格納したＲＯＭ１０３、画像データを展開する領域や作業用の領域等を設けたＲＡＭ１０５を有する。ホスト装置１１０は、画像データの供給源（プリントに係る画像等のデータの作成、処理等を行うコンピュータとする他、画像読み取り用のリーダ部等の形態であってもよい）である。画像データ、その他のコマンド、ステータス信号等は、インタフェース（Ｉ／Ｆ）１１２を介してコントローラ１００と送受信される。
【０１０３】
操作部１２０は操作者による指示入力を受容するスイッチ群であり、電源スイッチ１２２、プリント開始を指示するためのスイッチ１２４、吸引回復の起動を指示するための回復スイッチ１２６、マニュアルでレジストレーション調整を行うためのレジストレーション調整起動スイッチ１２７、マニュアルで該調整値を入力するためのレジストレーション調整値設定入力部１２９等を有する。
【０１０４】
センサ群１３０は装置の状態を検出するためのセンサ群であり、上述の反射型光学センサ３０、ホーム・ポジションを検出するためのフォト・カプラ１３２および環境温度を検出するために適宜の部位に設けられた温度センサ１３４等を有する。
【０１０５】
ヘッド・ドライバ１４０は、プリント・データ等に応じてプリント・ヘッド１または４１の吐出ヒータ２５を駆動するドライバである。ヘッド・ドライバ１４０は、プリントデータを吐出ヒータ２５の位置に対応させて整列させるシフト・レジスタ、適宜のタイミングでラッチするラッチ回路、駆動タイミング信号に同期して吐出ヒータを作動させる論理回路素子の他、ドット形成位置合わせのために駆動タイミング（吐出タイミング）を適切に設定するタイミング設定部等を有する。
【０１０６】
プリント・ヘッド１または４１には、サブヒータ１４２が設けられている。サブヒータ１４２はインクの吐出特性を安定させるための温度調整を行うものであり、吐出ヒータ２５と同時にプリント・ヘッド基板上に形成された形態および／またはプリント・ヘッド本体ないしはヘッド・カートリッジに取り付けられる形態とすることができる。
【０１０７】
モータ・ドライバ１５０は主走査モータ１５２を駆動するドライバであり、副走査モータ１６２はプリント媒体８を搬送（副走査）するために用いられるモータであり、モータ・ドライバ１６０はそのドライバである。
【０１０８】
（プリント位置合わせのためのプリント・パターン）
以下の説明では、プリント媒体上の所定の領域に対しプリント装置によりプリントされた領域の比率を「エリア・ファクタ」と呼ぶ。例えば、プリント媒体上の所定の領域内で全体にドットが形成されていればエリア・ファクタは１００％、全く形成されていなければ０％、プリントされた面積がそのエリアの面積の半分ならエリア・ファクタは５０％である。
【０１０９】
図６は、本実施の形態で用いるプリント位置合わせのためのプリント・パターンを示す模式図である。
【０１１０】
図６において、白抜きのドット７００は往走査（第１プリント）でプリント媒体上に形成するドット、ハッチングを施したドット７１０は復走査（第２プリント）で形成するドットを示す。図６において説明のためドット・ハッチングの有無をつけているが、各ドットは本実施の形態では同一のプリント・ヘッドから吐出されるインクで形成したドットであり、ドットの色ないし濃さに対応したものでない。図６（Ａ）は往走査と復走査でプリント位置が合っている状態でプリントした場合のドットを示しており、図６（Ｂ）はプリント位置が少しずれた状態、図６（Ｃ）はプリント位置がさらにずれた状態でプリントしたときのドットを示している。なお、これらの図６（Ａ）ないし図６（Ｃ）からも明らかなように、本実施の形態では往復走査それぞれで相補的なドット形成を行うものである。すなわち、往走査では奇数番目の列のドットを形成し、復走査では偶数番目の列のドットを形成する。従って、往復それぞれのドットが互いに略１ドットの直径分の距離を有する図６（Ａ）の場合がプリント位置が合った状態となる。
【０１１１】
このプリント・パターンは、プリント位置がずれるのに従ってプリント部全体の濃度が低下するように設計されている。すなわち、図６（Ａ）のプリント・パターンとしてのパッチの範囲内では、エリア・ファクタは略１００％である。図６（Ｂ）ないし図６（Ｃ）に示すようにプリント位置がずれるに従い、往走査のドット（白抜きドット）と復走査のドット（ハッチド・ドット）の重なりが大きくなるとともに、プリントされていない領域、すなわちドットによって覆われていない領域も広がる。この結果、エリア・ファクタが低下するので、平均すれば全体的な濃度は減少する。
【０１１２】
本実施の形態ではプリント・タイミングをずらすことにより、プリント位置をずらしている。これはプリント・データ上でずらしても可能である。
【０１１３】
図６（Ａ）ないし図６（Ｃ）では走査方向に１ドット単位で示しているが、レジ調整の精度またはレジ検出の精度等に応じて、適宜の単位を設定することができる。
【０１１４】
図７は、４ドット単位の場合を示す。
【０１１５】
図７において、図７（Ａ）はプリント位置が合っている状態、図７（Ｂ）は少しずれた状態、図７（Ｃ）はさらにずれた状態でプリントされたときのドットを示す。これらのパターンの意図するところは、往復のプリント位置が相互にずれるのに対してエリア・ファクタが減少するようにすることである。それはプリント部の濃度はエリア・ファクタの変化に強く依存するからである。すなわちドットが重なることにより濃度は上昇するが、プリントされていない領域の増加の方が、プリント部全体の平均的濃度に与える影響が大きいからである。
【０１１６】
図８は、本実施の形態の図６（Ａ）ないし図６（Ｃ）、図７（Ａ）ないし図７（Ｃ）に示すプリント・パターンにおいてプリント位置のずれる量と反射光学濃度の変化の関係の概略を示す。
【０１１７】
図８において、縦軸は反射光学濃度（ＯＤ値）であり、横軸はプリント位置のずれの量（μｍ）である。図４の入射光Ｉｉｎ３５、反射光Ｉｒｅｆ３７を用いると、反射率Ｒ＝Ｉｒｅｆ／Ｉｉｎであり、透過率Ｔ＝１−Ｒである。
【０１１８】
反射光学濃度をｄとすると、Ｒ＝１０−ｄという関係がある。プリント位置のずれの量が０であるときにエリア・ファクタが１００％となるから、反射率Ｒは最も小さくなる。すなわち反射光学濃度ｄが最大となる。プリント位置が＋−のいずれの方向に相対的にずれても、反射光学濃度ｄは減少していく。
【０１１９】
（プリント位置合わせの処理）
図９は、プリント位置合わせの処理の概略のフローチャートを示す。
【０１２０】
図９に示すように、まずプリント・パターンをプリントする（ステップＳ１）。次に、光学センサ３０でこのプリント・パターンの光学特性を測定する（ステップＳ２）。測定したデータから得た光学特性に基づいて、適切なプリント位置合わせ条件を求める（ステップＳ３）。例えば図１１（後述）に示すように、最も反射光学濃度の高いポイントを求めて、最も反射光学濃度の高いポイントの両隣りのデータを通る各直線を最小自乗法等を用いて求め、これらの直線の交点Ｐを求める。このような直線近似による他、図１２（後述）に示すように、曲線近似により求めることもできる。この点Ｐに対するプリント位置パラメータにより、駆動タイミングの変更を設定する（ステップＳ４）。
【０１２１】
図１０は、図７（Ａ）ないし図７（Ｃ）に示すプリント・パターンをプリント媒体８にプリントした状態を示す。本実施の形態では、往走査と復走査との間の相対的な位置ずれ量の異なる９通りのパターン６１ないし６９をプリントする。プリントされた各パターンをパッチともいい、例えばパッチ６１、６２等ともいう。パッチ６１ないし６９に対応するプリントプリント位置パラメータを各々（ａ）ないし（ｉ）と表す。この９通りのパターン６１ないし６９は、例えば往走査と復走査のプリント開始タイミングについて、往走査の方を固定とする。一方、復走査の開始タイミングについては現在設定されている開始タイミングと、それより早い４段階のタイミング、それより遅い４段階のタイミングの計９通りのタイミングそれぞれでプリントされる。このようなプリント開始タイミングの設定およびそれに基づく９通りのパターン６１ないし６９のプリントは、所定の指示入力によって起動されるプログラムにより実行することができる。
【０１２２】
このようにプリントされたプリント・パターンとしてのパッチ６０等に対して、キャリッジ２に搭載された光学センサ３０が対応した位置にくるように、プリント媒体８およびキャリッジ２を移動させ、キャリッジ２が静止した状態でそれぞれのパッチ６０等について光学特性を測定する。このように、キャリッジ２が静止した状態で測定することにより、キャリッジ２の駆動によるノイズの影響を避けることができる。また光学センサ３０の測定スポットのサイズを、例えばセンサ３０とプリント媒体８との距離を大きくすることによって、ドット径に対し広くすることにより、プリントされたパターン上の局所的な光学特性（例えば反射光学濃度）のばらつきを平均化して、精度の高いパッチ６０等の反射光学濃度の測定を行うことができる。
【０１２３】
光学センサ３０の測定スポットを相対的に広くする構成として、パターンのプリント解像度よりも低い解像度のセンサ、すなわちドット径より大きい測定スポット径を有するセンサを用いることが望ましい。しかし、平均濃度を求めるという観点から比較的解像度の高いセンサ、すなわち小さい測定スポット径を有するセンサでパッチ上を複数ポイントにわたり走査し、そのようにして得られた濃度の平均を測定濃度として用いてもよい。
【０１２４】
すなわち、測定ばらつきの影響を避けるために、複数回の同じパッチの反射光学濃度の測定を行い平均を取った値を採用しても良い。
【０１２５】
パッチ内の濃度ムラによる測定バラツキの影響を避けるためにも、パッチ内の複数ポイント測定して平均化、もしくは何らかの演算処理を施してもよい。時間削減のためキャリッジ２を移動させながら測定することも可能である。この場合にはモーター駆動による電気的なノイズによる測定バラツキを避けるためにもサンプリング回数を増やして平均化、もしくは何らかの演算処理を施すことが強く望ましい。
【０１２６】
図１１は、測定した反射光学濃度のデータの例を模式的に示す。
【０１２７】
図１１において、縦軸は反射光学濃度であり、横軸は往走査と復走査の相対的なプリント位置を変えるためのプリント位置パラメータである。このプリント位置パラメータは、上述したように往走査に対する復走査のプリント開始タイミングを早くしたり遅くしたりするパラメータとすることができる。
【０１２８】
図１１に示す測定結果を得た場合、本実施の形態では、最も反射光学濃度が高いポイント（図１１中、プリント位置パラメータ（ｄ）に対応するポイント）の、両隣りのそれぞれ２つのポイント（図１１中のプリント位置パラメータ（ｂ）、（ｃ）と（ｅ）、（ｆ）に各々対応するポイント）を通るそれぞれの直線が交差した点Ｐを、最もプリント位置が合っているポイントと判断する。そして、この点Ｐに対応するプリント位置パラメータにより、本実施の形態の場合、対応する復走査のプリント開始タイミングを設定する。しかし、厳密なプリント位置合わせが望まれない場合またはそれが不要である場合には、プリント位置パラメータ（ｄ）を用いてもよい。
【０１２９】
図１１に示すように、この方法によれば、プリント・パターン６１等をプリントするのに用いたプリント・ピッチ等のプリント位置合わせ条件より細かい条件のピッチ、あるいは高い解像度でプリント位置合わせ条件を選択することができる。
【０１３０】
図１１において、プリント位置パラメータ（ｃ）、（ｄ）、（ｅ）に対応する濃度の高いポイントの間は、プリント位置合わせ条件の違いに対して濃度は大きく変わらない。それに対し、プリント位置パラメータ（ａ）、（ｂ）、（ｃ）に対応するポイントの間、プリント位置パラメータ（ｆ）、（ｇ）、（ｈ）、（ｉ）に対応するポイントの間は、プリント位置合わせ条件の変化に対し濃度は敏感に変化する。本実施の形態のように左右対称に近い濃度の特性を示す場合には、これらプリント位置合わせ条件に対し敏感な濃度変化を示すポイントを用いて、プリントに用いるプリント位置合わせ条件を算出することにより、より高精度にプリント位置を合わせることができる。
【０１３１】
プリント位置合わせ条件の算出方法はこの方法に限ったものではない。これらの複数の多値の濃度データと、パターン・プリントに用いたプリント位置合わせ条件の情報に基づいて連続値による数値計算を行い、パターン・プリントに用いたプリント位置合わせ条件の離散的な値以上の精度で、プリント位置合わせ条件を算出するのが本発明の意図するところである。
【０１３２】
例えば、図１１に示すような直線近似以外の例として、これらの濃度データをプリントに用いて、複数のプリント位置合わせ条件に対する最小二乗法を用いた多項式の近似式を得て、その式を用いて最もプリント位置の合う条件を算出しても良い。また、多項式近似に限らず、スプライン補間等を用いてもよい。
【０１３３】
最終的なプリント位置合わせ条件を、パターン・プリントに用いた複数のプリント位置合わせ条件から選ぶ場合でも、上記のような複数の多値データを用いた数値計算よりプリント位置合わせ条件を算出することにより、各種データのばらつきに対しより高精度にプリント位置合わせることができる。例えば、図１１のデータより最も濃度の高いポイントを選ぶやり方をすると、ばらつきにより、プリント位置パラメータ（ｄ）に対応するポイントより（ｅ）に対応するポイントの方が濃度が高い場合があり得る。そこで、最も濃度の高いポイントの両側の各３つのポリントより近似直線を求めて、交点を算出するやり方をすると、３つ以上のポイントのデータを使い計算することにより、ばらつきの影響を減少することができる。
【０１３４】
次に、図１１で示した位置合わせ条件の算出方法とは別の例を説明する。
【０１３５】
図１２は、測定した光学反射率のデータの例を示す。
【０１３６】
図１２において、縦軸は光学反射率であり、横軸は往走査と復走査の相対的なプリント位置を変えるためのプリント位置パラメータ（ａ）ないし（ｉ）である。例えば復走査のプリントするタイミングを早くしたり、遅くしたりしてプリント位置を変えるものがこれに相当する。本例では、測定したデータより各パッチにおける代表点を決めて、これらの代表点から全体の近似曲線を求め、その近似曲線の最小点をプリント位置一致ポイントと判断する。
【０１３７】
本実施の形態では、図１０に示したような複数のプリント位置合わせ条件について、それぞれ離れた正方形あるいは長方形のパターン（パッチ）をプリントしたが、本発明はその構成に限るものではない。それぞれのプリント位置合わせ条件に対する濃度測定を行うことができるエリアがあればよいのであって、例えば図１０の複数のプリント・パターン（パッチ６１等）が全て連結されていても良い。このようにすれば、プリント・パターンの面積を小さくすることができる。
【０１３８】
しかし、インク・ジェット・プリント装置でこのパターンをプリント媒体８にプリントする場合には、プリント媒体８の種類によっては、インクをあるエリアに一定以上打ち込むと、プリント媒体８が膨張してプリント・ヘッドから吐出されたインク滴の着弾精度が低下してしまう場合がある。本実施の形態に用いた、プリント・パターンにはその現象を極力避けることができるメリットがある。
【０１３９】
図６（Ａ）ないし図６（Ｃ）に示した本実施の形態のプリント・パターンにおいて、プリント位置のずれに対して反射光学濃度が最も敏感に変化する条件は、往復走査間のプリント位置があった状態で（図６（Ａ））、エリア・ファクタがほぼ１００％となることである。すなわち、パターンをプリントした領域がドットによりほぼ覆われることが望ましい。
【０１４０】
しかしながら、プリント位置のずれにより反射光学濃度が減少していくパターンであるためには、必ずしもこのような条件である必要はない。しかし好ましくは、往復走査間のプリント位置があった状態で往復走査それぞれでプリントしたドットのドット間距離が、ドットが接する距離からそれぞれのドットの半径くらいまで重なる距離範囲であれば良い。このようにすれば、プリント位置が合った状態からのずれに応じて、反射光学濃度は敏感に変化する。このようなドット間の距離関係が実現されるのは、以下で示すように、ドット・ピッチおよび形成されるドットの大きさによる場合と、形成されるドットが比較的微少であるときのパターン・プリントに際して人為的に上記距離関係を形成する場合とがある。
【０１４１】
往走査と復走査のプリント・パターンは必ずしも縦に１列ずつ並んでいる必要はない。
【０１４２】
図１３は、往走査でプリントされるドットと復走査でプリントされるドットが互いに入り組んだプリント・パターンを示す。このようなパターンでも本発明の適用は可能である。
【０１４３】
図１３において、図１３（Ａ）はプリント位置が合っている状態、図１３（Ｂ）は少しずれた状態、図１３（Ｃ）はさらにずれた状態でプリントされたときのドットを示す。
【０１４４】
図１４は、ドットが斜めに形成されるパターンを示す。このようなパターンでも本発明の適用は可能である。
【０１４５】
図１４において、図１４（Ａ）はプリント位置が合っている状態、図１４（Ｂ）は少しずれた状態、図１４（Ｃ）はさらにずれた状態でプリントされたときのドットを示す。
【０１４６】
図１５は、プリント位置ずらしの対象となる往復走査それぞれのドット列を複数列とするパターンを示す。
【０１４７】
図１５において、図１５（Ａ）はプリント位置が合っている状態、図１５（Ｂ）は少しずれた状態、図１５（Ｃ）はさらにずれた状態でプリントされたときのドットを示す。プリント開始タイミング等のプリント位置合わせ条件を広い範囲で変化させてプリント位置合わせを行う場合は、図１５（Ａ）ないし図１５（Ｃ）で示されるようなパターンが有効である。図６（Ａ）ないし図６（Ｃ）のプリント・パターンでは、ずらしの対象となるドット列の組は往復１列のドット列であるため、プリント位置のずれが大きくなっていくと他の組のドット列と重なり、それ以上にプリント位置ずれ量が大きくなっても反射光学濃度は小さくならないからである。これに対し、図１５（Ａ）ないし図１５（Ｃ）のようなパターンであれば、往復走査それぞれドット列が他の組のドット列と重なるまでのプリント位置ずれの距離を、図６（Ａ）ないし図６（Ｃ）のプリント・パターンと比べて長くとることができ、これによりプリント位置合わせ条件を広い範囲で変化させることができる。
【０１４８】
図１６は、各ドット列について所定のドットの間引きを行なったプリント・パターンを示す。
【０１４９】
図１６において、図１６（Ａ）はプリント位置が合っている状態、図１６（Ｂ）は少しずれた状態、図１６（Ｃ）はさらにずれた状態でプリントされたときのドットを示す。このようなパターンでも本発明の適用は可能である。このパターンは、プリント媒体上８に形成したドット自身の濃度が大きくて、図６（Ａ）ないし図６（Ｃ）に示すパターンをプリントすると全体としての濃度も大きくなりすぎてしまい、光学センサ３０がドットずれに応じた濃度差を測定できない場合などに有効である。すなわち、図１６（Ａ）ないし図１６（Ｃ）のようにドットを間引いて少なくすれば、プリント媒体８上のプリントされていない領域が増して、プリントされたパッチ全体の濃度を下げることができる。
【０１５０】
逆にプリント濃度が低すぎる場合には、同位置について２回のプリントを行なってドットを形成するか、あるいは一部分だけ２回プリントするなどのプリントを行っても良い。
【０１５１】
プリント・パターンについてプリント位置がずれるとともに反射光学濃度が減少する特性には、上述のように往走査でプリントされるドットと復走査でプリントされるドットが合致した条件でキャリッジ走査の方向において接している等の条件が必要となる。しかし、必ずしもそのような条件を満たしている必要はなく、往走査と復走査のプリント位置がずれるのに従い反射濃度が低下すればよい。
【０１５２】
［実施の形態２］
本発明の実施の形態２は、異なるヘッド間のキャリッジ走査方向におけるプリント位置に関するものである。また、複数種類のプリント媒体、インク、プリント・ヘッド等を用いる場合にこれらに対応したプリント位置合わせを行う例を示すものである。すなわち、用いるプリント媒体等の種類により形成されるドットの大きさや濃度が異なることがある。このため、プリント位置合わせ条件の判定に先立って、測定された反射光学濃度の値がプリント位置合わせ条件判定に適した値か否かを判定する。その結果、プリント位置合わせ条件の判定を行うために不適切な値と判定されれば、前述のように、プリント・パターン中のドットを間引いたり、ドットの重ね打ちをしたりして反射光学濃度のレベルを調節する。
【０１５３】
プリント位置合わせ条件の判定に先立って、プリント位置ずれに対し測定された反射光学濃度がそれに応じて十分に減少しているかどうかを判定する。その結果、プリント位置合わせ条件の判定を行うために不適切と判定されれば、プリント・パターンにおいて先に設定されるずれを変化させる方向、この場合はキャリッジ走査方向のドット間隔を変更して、再びプリント・パターンのプリントと反射光学濃度の測定を行う。
【０１５４】
（プリント位置合わせの処理）
本実施の形態では、前述の実施の形態１で説明したプリント・パターンについて、往走査でプリントしていたドットをプリント位置合わせを行う２つのプリント・ヘッドの内第１のプリント・ヘッドでプリントし、復走査でプリントしていたドットを第２のプリント・ヘッドでプリントしてプリント位置合わせを行う。
【０１５５】
図１７は、本実施の形態のプリント位置合わせの処理手順を示すフローチャートである。
【０１５６】
図１７に示すように、ステップＳ１２１でプリント・パターンとして図１０に示される９通りのパターン６１ないし６９をプリントするとともに、これらのパターン６１等の反射光学濃度の測定を実施の形態１と同様に行う。
【０１５７】
次にステップＳ１２２において測定された反射光学濃度の値のうち最も反射光学濃度が大きいものが、ＯＤ値で０．７から１．０の範囲に入っているか否かを判定する。その範囲に値が入っていれば次のステップＳ１２３の処理に進む。
【０１５８】
反射光学濃度が０．７ないし１．０の範囲にないと判断したときはステップＳ１２５へ進み、ここでその値が１．０より大きいときはプリント・パターンのドットを３分の２に間引いた図１６に示されるパターンに変更してステップＳ１２１の処理に戻る。また、反射光学濃度が０．７より小さいときは図６（Ａ）ないし図６（Ｃ）に示されるプリント・パターンの上に、図１６（Ａ）ないし図１６（Ｃ）に示されるプリント・パターンを重ね打ちする。パターンを変更して同様にステップＳ１２１の処理に戻る。
【０１５９】
プリント・パターンを多く準備しておいて、２回目の判定でも不適当と判定された場合は、さらにプリント・パターンを変更してステップＳ１２１からＳ１２５のループを繰り返しても良いが、本実施の形態では３種類のパターンがあればほとんど全てのケースをカバーできると想定し、２回目の判定で不適当と判断されても次の処理に進む。
【０１６０】
このステップＳ１２２の判定処理により、プリント媒体８やプリント・ヘッドあるいはインクによってプリントされるパターンの濃度が変化しても、これに対処したプリント位置合わせが可能となる。
【０１６１】
次にステップＳ１２３では、プリント位置のずれに対し測定された反射光学濃度が十分に減少しているか否か、すなわち、反射光学濃度の値のダイナミック・レンジが十分あるか否かの判定を行う。例えば、図１１に示される反射光学濃度の値が得られた場合において、最大の濃度の値（図１１中のプリント位置パラメータ（ｄ）に対応するポイント）と、その２つとなりの値との差が（図１１では、プリント位置パラメータ（ｄ）に対応するポイントと（ｂ）に対応するポイントとの差、（ｄ）に対応するポイントと（ｆ）に対応するポイントとの差）が０．０２以上あるか否かを判断する。ここで０．０２未満であれば、プリント・パターン全体のプリント・ドット間隔が短くすぎる、すなわちダイナミック・レンジが十分ではないと判定し、ステップＳ１２６でプリント・ドット間の距離を長くして、再びステップＳ１２１以降の処理を行う。
【０１６２】
このステップＳ１２３および次のステップＳ１２４の処理を図１８、図１９、図２０を用いてさらに詳細に説明する。
【０１６３】
図１８は、図６に示したプリント・パターンでプリント・ドット径が大きい場合のプリント部の様子を模式図で示す。
【０１６４】
図１８において、白抜きのドット７２は第１のプリント・ヘッドでプリントしたドット、ドット・ハッチの付いたドット７４は第２のプリント・ヘッドでプリントしたドットである。図１８（Ａ）はプリント位置が合った条件でプリントした場合、図１８（Ｂ）はそれからプリント位置が相対的に少しずれた場合、図１８（Ｃ）はプリント位置がさらにずれた場合を示している。図１８（Ａ）および図１８（Ｂ）の比較からもわかるように、ドット径が大きい場合には、プリント位置が少しずれてもエリア・ファクタはほぼ１００％のままであり、反射光学濃度はほとんど変化することはない。つまり、実施の形態１で述べた、プリント位置ずれに対し反射光学濃度が敏感に減少するという条件を満たさなくなっている。
【０１６５】
一方、図１９は、ドット径はそのままでプリント・パターン全体におけるキャリッジ走査方向のドット間距離を長くした場合を示す。
【０１６６】
図１９において、図１９（Ａ）はプリント位置が合っている状態、図１９（Ｂ）は少しずれた状態、図１９（Ｃ）はさらにずれた状態でプリントされたときのドットを示す。この場合は、プリントずれが発生するとともにエリア・ファクタが減少し全体の反射光学濃度も低下する。
【０１６７】
図２０は、図１８（Ａ）ないし図１８（Ｃ）および図１９（Ａ）ないし図１９（Ｃ）に示すプリント・パターンを用いた場合の濃度特性の振る舞いを模式的に示す。
【０１６８】
図２０において、縦軸は反射光学濃度、横軸はプリント位置のずれの量を示す。実線Ａは実施の形態１で述べた最もプリント位置ずれに対し反射光学濃度が敏感に減少する条件でプリントした場合、破線Ｂはそれよりもドット間距離が短い場合の反射光学濃度の値の振る舞いを示している。図２０から明らかなように、ドット間距離が短すぎると、上述の理由によりプリント位置合わせ条件が理想的な条件から少しずれても反射光学濃度はそれ程変化しない。このため本実施の形態では、図１７のステップＳ１２３で示した判断を行ない、この判断に応じてドット間距離を長くすることにより、プリント位置合わせ条件の判定を行うために適したプリント条件となるようにする。
【０１６９】
本実施の形態では初めのドット間距離を短めに設定しておき、適正な反射光学濃度のダイナミック・レンジが得られるまで、ドット間距離を長くして行く。しかし、４回ドット間距離を長くしても適正と判断されない場合は、次のプリント位置合わせ条件の判定の処理に進む。本実施の形態では、キャリッジ２の走査速度はそのままに保ちつつ、インクを吐出する間隔を制御するプリント・ヘッドの駆動周波数を変えることにより、ドット間距離を調節する。これにより、プリント・ヘッドの駆動周波数が小さくなるほど、ドット間の距離が長くなることになる。また、ドット間距離を調整する別の方法として、キャリッジ２の走査速度を変えることも考えられる。
【０１７０】
上記いずれの場合についても、プリント・パターンをプリントする駆動周波数や走査速度が、実際のプリントで使用する駆動周波数や走査速度と異なることになる。したがってプリント位置合わせ条件判定後、その結果により駆動周波数や走査速度の違いを補正する必要がある。その補正は数式によって行っても良いが、予じめ図１０に示された９通りのパターン６１等毎に実際の駆動周波数や走査速度に関するプリント・タイミングのデータも準備しておき、プリント位置合わせ条件判定の結果に従い、それらをそのまま用いることもできる。あるいは図１１に示すような場合は、線形補完してプリントに用いるプリント・タイミングを求めることができる。
【０１７１】
プリント位置合わせ条件判定の方法は実施の形態１と同様である。また、実施の形態１の往復プリントにおける往走査と復走査のプリント位置合わせにおいて、本実施の形態で行ったドット径の大きさに対しプリント・パターンのドット間の距離を変えることは本実施の形態と同様に有効である。ただし、この場合には、使用する数通りのドット間距離のプリント・パターンごとに往走査、復走査用のプリント・パターンを準備しておく。そして、そのプリント・パターンとドット間距離ごとにプリント・タイミングのデータを準備しておき、プリント位置判定の結果に従ってそれらを線形補完してプリントに用いるプリント・タイミングを求めることができる。
【０１７２】
なお、図１７に示したフローチャートは、適宜の修正等を加えて以下の実施の形態にも適用できる。
【０１７３】
［実施の形態３］
本発明の実施の形態３では、複数ヘッド間の、キャリッジ走査方向に垂直な方向のプリント位置合わせに関するものである。なお、実施の形態１同様に一種類のみのプリント媒体、プリント・ヘッドおよびインクを用いたプリント装置について説明する。
【０１７４】
（プリント位置を補正する方法）
本実施の形態のプリント装置では、キャリッジ走査方向に垂直な方向（副走査方向）のプリント位置の補正を行うために、プリント・ヘッドのインク吐出口を１回のスキャンで形成される画像の副走査方向における幅（バンド幅）よりも広い範囲にわたって設けておき、使用する吐出口の範囲をずらして用いることによって、吐出口間隔の単位でプリント位置を補正できる構成をとっている。すなわち、出力するデータ（画像データ等）とインク吐出口との対応をずらす結果、出力データ自体をずらすことができる。
【０１７５】
（プリント・パターン）
上述した実施の形態１および実施の形態２では、プリント位置が合っている場合に測定された反射光学濃度が最大になるプリント・パターンを用いたが、本実施の形態ではプリント位置が合っている場合に反射光学濃度が最低になり、プリント位置がずれるとともに反射光学濃度が増加していくプリント・パターンを用いる。
【０１７６】
本実施の形態のようないわゆる紙送り方向の位置合わせの場合においても、上記第１および実施の形態２と同様、プリント位置があった状態で濃度が最大となりプリント位置がずれるとともに濃度が低下するパターンを用いることもできる。例えば２つのヘッド間で紙送り方向において隣り合う位置関係にある各吐出により形成されるドットに注目して位置合わせを行うことができる。
【０１７７】
図２１は、本実施の形態で使用するプリント・パターンを模式的に説明する。
【０１７８】
図２１において、白抜きのドット８２は第１のプリント・ヘッドでプリントしたドット、ドット・ハッチの付いたドット８４は第２のプリント・ヘッドでプリントしたドットをそれぞれ示している。図２１（Ａ）はプリント位置が合っている状態を示しているが、上述の２種類のドットが重なっているため白抜きのドットは見えない。図２１（Ｂ）はプリント位置が少しずれた場合にプリントされたドットを、図２１（Ｃ）はさらにプリント位置がずれた場合のドットの状態を示している。これらの図２１（Ａ）ないし図２１（Ｃ）からもわかるように、プリント位置がずれるのに従い、エリア・ファクタが大きくなっていき、全体の平均的な反射光学濃度は増加していく。
【０１７９】
（プリント合わせ処理）
以上のプリント・パターンを、プリント位置調整に係る２つのプリント・ヘッドのうち一方のプリント・ヘッドの吐出する吐出口をずらすことにより、このずらしについてのプリント位置合わせ条件を変えながら５パターン・プリントする。そして、そのプリントされたパッチの反射光学濃度を測定する。
【０１８０】
図２２は、測定された反射光学濃度の例を模式的に示す。
【０１８１】
図２２において、縦軸は反射光学濃度、横軸はプリント吐出口のずれの量を示す。
【０１８２】
本実施の形態では測定された反射光学濃度の値のうち、最も小さい反射光学濃度を示すプリント条件（図２２中の（ｃ））をプリント位置が最も合っている条件として選択する。
【０１８３】
以上の各実施の形態では、プリント・ヘッドからインクをプリント媒体８に吐出して画像を形成するプリント装置における例を示したが、本発明はその構成に限定されるものではない。プリント・ヘッドとプリント媒体８とを相対的に移動させ、ドットを形成してプリントを行ういずれのプリント装置についても有効である。
【０１８４】
実施の形態１で示した、様々なプリント・パターンは往復プリント時のプリント位置合わせのみに限定されるものではなく、実施の形態２、実施の形態３に示したようなプリント・ヘッド間の縦、横のプリント位置合わせにも同様に用いることができることは勿論である。
【０１８５】
実施の形態２から実施の形態３は、２つのプリント・ヘッド間の関係についての例を示したが、３つ以上のプリント・ヘッド間の関係についても同様に適用できる。例えば、３つのヘッドに対しては、第１のヘッドと第２のヘッドのプリント位置を合わせ、その後第１のヘッドと第３のヘッドとの位置を合わせればよいのである。
【０１８６】
［実施の形態４］
（最適打ち込み率判定パターン）
往走査と復走査のプリント位置合わせにおいて、ユーザーが滲みやすいインクやプリント媒体を使用した場合、プリント位置合わせのパターンにおいて往走査による第１のプリントと復走査による第２のプリントでドットが隣接するような領域では、往走査と復走査の相対的な位置合わせ条件を変えてプリントしても、滲み等によりパッチ内のエリア・ファクタがさほど変化しない。したがって微細なプリント位置合わせが困難であり、誤った判断をする可能性がある。例えば、滲みやすいインクやプリント媒体上でプリントを行った場合、往走査と復走査でプリント位置を変化させても、お互いのドット同士が滲み、隣接してしまい、濃度変化が少なく最適なプリント位置を選択することが困難な場合がある。複数ヘッド間のプリント位置合わせやキャリッジ走査方向と垂直方向のプリント位置合わせに関しては、基本的には異種のインクが使用され、インクの組成等によってプリント媒体にプリントされた時にインク間で滲みやすい組合わせがある。
【０１８７】
図２３は、本実施の形態で用いる最適な打ち込み率を判定するプリント・パターンを模式的に説明する。
【０１８８】
図２３において、図２３（Ａ）ないし図２３（Ｄ）は各々エリア・ファクタ２５％から１００％まで２５％刻みでプリントしたものである。図２３（Ａ）は２５％で、図２３（Ｂ）は５０％で、図２３（Ｃ）は７５％で、図２３（Ｄ）は１００％で各々プリントしたものである。パターンにおけるドットの間引きかたは、一様にでもランダムにでも可能である。
【０１８９】
図２４は、パターンの光学反射率を測定した結果を示す。本実施の形態では同一プリント・ヘッド、同じインクでパターンは形成している。
【０１９０】
図２４において、縦軸は光学反射率、横軸は打ち込み率を示す。使用するプリント媒体８とインクとの関係により、曲線Ａの様に常に打ち込み率と線形な関係を示すものは、プリント位置合わせを行うパターンを打ち込み率１００％でプリントする。曲線Ｂのように、ある打ち込み率から飽和領域に突入する場合もある。この場合プリント位置合わせを行うパターンは、飽和領域に突入するまでの打ち込み率でプリントしなければならない。これにより使用するインクとプリント媒体により決まる最適打ち込み率を判定し、プリント位置合わせパターンを最適な打ち込み率でプリントすることが可能となり、良好なプリント位置合わせをすることが可能となる。
【０１９１】
ここでは打ち込み率５０％程度の領域を用いるのが好ましいことがわかる。
【０１９２】
（プリント位置合わせパターンに打ち込み率を反映させる）
図２５は、打ち込み率５０％の例としてプリント位置合わせ基準パターンのドットを走査方向に１／２に間引いたものを模式的に表したものである。
【０１９３】
図２５において、図２５（Ａ）はプリント位置が合っている状態、図２５（Ｂ）は少しずれた状態、図２５（Ｃ）はさらにずれた状態でプリントされたときのドットを示す。ドットの間引き方は往復のプリント位置合わせではプリント・パターンのキャリッジ走査方向に一様に間引く。その間引き率は上述の最適打ち込み率判定を行った結果から、あらかじめ用意されたプリント位置合わせパターンをそのプリント媒体、そのインクに適した間引き率でプリントする。
【０１９４】
（打ち込み率判定とプリント位置合わせの同時実行の例）
上述の最適打ち込み率判定とプリント位置合わせを同時に行うことも可能である。
【０１９５】
図２６は、最適打ち込み率判定とプリント位置合わせを同時に行うパターンを模式的に表す。図２６（Ａ）は、第１のヘッドによるプリントと第２のヘッドによるプリントで形成されるプリント位置合わせパターンを打ち込み率２５％でプリントしたものであり、以下順に図２６（Ｂ）から図２６（Ｄ）は、各々５０％、７５％、１００％でプリントしたものである。
【０１９６】
図２７は、打ち込み率毎にパターン（ａ）ないし（ｉ）をプリントした状態を示す。
【０１９７】
図２７において、第１段目は打ち込み率２５％（Ａ）、第２段目は５０％（Ｂ）、第３段目は７５％（Ｃ）、第４段目は１００％（Ｄ）を示す。
【０１９８】
図２８は、プリント位置合わせパターンの相対的なずらし量と各打ち込み率における測定された反射光学濃度との関係を示す。打ち込み率が足りない場合、プリント位置合わせパターンをずらしていっても、コントラストがつかず反射光学濃度の変化は少ない（曲線Ａ）。また打ち込み率が大きすぎれば、ドット同士が重なり合ってしまいプリント位置を相対的にずらしていっても、変化量としては乏しい（曲線Ｄ）。各打ち込み率の曲線から最も変化量の大きな打ち込み率を算出し、その打ち込み率の曲線から最適なプリント位置合わせを行う。
【０１９９】
ここでは、曲線ＢとＣが同程度の変化量を示しているので、いずれの曲線を用いてもよい。なお、同程度の場合、コックリングの影響を抑えるために打ち込み率の小さい曲線Ｂを用いる方がより望ましい。
【０２００】
［実施の形態５］
実施の形態５は、複数ヘッド間のキャリッジ走査方向のプリント位置合わせを行う。
【０２０１】
（プリント位置合わせパターンの説明）
実施の形態４で説明したプリント・パターンについて、往走査でプリントしていたドットを本実施の形態では第１のヘッドでプリントし、復走査でプリントしていたドットを本実施の形態では第２のヘッドでプリントしてプリント位置合わせを行う。但しプリント位置合わせ条件の判定方法は実施の形態４と同様である。
【０２０２】
（最適打ち込み率判定パターン）
使用する複数のヘッドについて各々実施の形態４と同様の最適な打ち込み率を判定するパターンをプリントし、各パッチの光学反射率を測定する。その光学反射率の分布より、打ち込み率に対して光学反射率が線形的に変化する線形領域を求める。その線形領域で最も光学反射率が小さい打ち込み率をヘッドごとに算出し、その後のプリント位置合わせをその最適な打ち込み率で行う。これにより良好なプリント位置合わせが可能となる。但し最適打ち込み率の判定方法は実施の形態４と同様である。
【０２０３】
（プリント位置合わせパターンに打ち込み率を反映させる）
実施の形態４と同様に上述の最適打ち込み率判定を行った結果から、あらかじめ用意されたプリント位置合わせパターンを、そのプリント媒体、そのインクに適した間引き率でプリントするものとする。間引き方はヘッド間のプリント位置合わせではプリント・パターンの縦方向に一様に間引く。
【０２０４】
実施の形態４と同様に上述の最適打ち込み率判定とプリント位置合わせを同時に行うことも可能である。打ち込み率と上記プリント位置合わせのための条件を変化させて第１のヘッドによるプリントと第２のヘッドによるプリントを行う。光学センサ３０で各パッチの光学反射率を測定し、その光学反射率の分布より、打ち込み率に対して光学反射率が線形的に変化する線形領域を求め、その線形領域で最も光学反射率が小さい打ち込み率を求め、その打ち込み率で最適なプリント位置合わせの条件を算出する。
【０２０５】
［実施の形態６］
実施の形態６は、複数ヘッド間のキャリッジ走査方向に垂直なプリント位置合わせを行う。
【０２０６】
（プリント位置合わせパターンの説明）
実施の形態５で説明したプリント・パターンで、縦／横の関係が入れ替わったものを用いる。但しプリント位置合わせ条件の判定方法は実施の形態４と同様である。
【０２０７】
（最適打ち込み率判定パターン）
実施の形態５と同様で使用する複数のヘッドについて、各々実施の形態５と同様の最適な打ち込み率を判定するパターンをプリントし、各パッチの光学反射率を測定する。その光学反射率の分布より、打ち込み率に対して光学反射率が線形的に変化する線形領域を求め、その領域で最も光学反射率が小さい打ち込み率をヘッドごとに算出し、その後のプリント位置合わせをその最適な打ち込み率で行う。これにより良好なプリント位置合わせが可能となる。但し最適打ち込み率の判定方法は実施の形態４と同様である。
【０２０８】
（プリント位置合わせパターンに打ち込み率を反映させる）
実施の形態４と同様に上述の最適打ち込み率判定を行った結果から、あらかじめ用意されたプリント位置合わせパターンを、そのプリント媒体、そのインクに適した間引き率でプリントするものとする。ドットの間引き方は、ヘッド間のプリント位置合わせにおいてはプリント・パターンの縦方向に一様に間引く。
【０２０９】
実施の形態５と同様に上述の最適打ち込み率判定とプリント位置合わせを同時に行うことも可能である。打ち込み率と上記プリント位置合わせのための条件を変化させて、第１のヘッドによるプリントと第２のヘッドによるプリントを行い、光学センサで各パッチの光学反射率を測定する。その光学反射率分布より、打ち込み率に対して光学反射率が線形的に変化する線形領域を求め、その領域で最も光学反射率が小さい打ち込み率を求め、その打ち込み率で最適なプリント位置合わせの条件を算出する。
【０２１０】
本実施の形態では、プリント・ヘッドからインクをプリント媒体に吐出して画像を形成するプリント装置における例を示したが、本発明はその構成に限定されるものではない。プリント・ヘッドの操作を行いながら、プリント媒体上にドットを形成してプリントを行うプリント装置に関しても適用できる。
【０２１１】
［実施の形態７］
本実施の形態７から実施の形態１０までの実施の形態は、図１または図２に示した装置で濃淡両インクを用いてプリントを行う際に好適である。
【０２１２】
濃インクと、その濃インクを約３倍から４倍に希釈したインク（淡インク）を併用、もしくは希釈したインク（淡インク）のみを使用してのプリントを行うこともできる。この場合、テキスト主体のプリントと画像主体のプリントとによりヘッドを交換する場合が増える結果、頻繁にプリント位置合わせを行うことになる。
【０２１３】
しかしながら、例えば、ユーザーが目視により最もプリント位置の合っている条件を選び出す場合に、濃インクと淡インクとで罫線をプリント媒体上にプリントし、その結果から位置合わせ条件をユーザーが決定するために、薄いインクを使用すると目視による判断がしにくいことがある。
【０２１４】
図２９は、濃インクと淡インクとの間におけるプリント位置合わせを示す。
【０２１５】
図２９において、図２９（Ａ）はプリント位置が合っている状態、図２９（Ｂ）は少しずれた状態、図２９（Ｃ）はさらにずれた状態でプリントされたときのドットを示し、実線は濃インク、破線は淡インクによるパターンを示す。自動で位置合わせを行う際においても、濃インクと淡インクの併用の場合のヘッド間プリント位置合わせとヘッド間往復プリント位置合わせとにおいて、濃インクと淡インクとのプリント結果の濃度の差が大きい。したがって、パッチなどの自動プリント位置合わせパターンをプリントして、図２６（Ａ）、図２６（Ｂ）および図２６（Ｃ）のように濃インク（濃いドット）と淡インク（薄いドット）の相対的位置を変化させても、濃インクからの濃度が支配的である。このため、その変化に応じた濃度変化を光学センサにより得ることができず、最適な自動プリント位置合わせが行えない可能性がある。淡インクを用いた往復プリント位置合わせにおいても充分な濃度が得られず、位置合わせが行えない可能性がある。
【０２１６】
（プリント位置合わせ条件選択処理）
プリント位置合わせプリント・パターンとしてのパッチをプリントした後に、このパターンの反射光学濃度の測定を行うとき、本実施の形態７では、あらかじめ位置合わせを行うために必要な最低の濃度の値と、第１のプリントと第２のプリントの相対的位置をずらしたときの濃度変化において位置合わせを行うために必要な最低の濃度値とを規定しておき、それらを所定値として決めておく。反射光学濃度の測定の結果が所定の条件を満たしているなら、以下のプリント位置合わせ処理に進む。
【０２１７】
図３０は、プリント・ヘッドの駆動パルスを示す。所定値を上回る値をプリント結果から得ることが出来なかった場合には、まず、ヘッドの電気熱変換体の駆動に用いるパルスを図３０（Ａ）のように通常のシングル・パルス５１から図３０（Ｂ）のようなダブル・パルス５２および５３に変更する。その後、改めてパッチのプリントを行い、再度反射光学濃度を測定し、これにより所定値が得られたなら、上記と同様にプリント位置合わせ処理へと進む。それでも所定値に満たないときは、プレヒート・パルス５２のパルス幅を大きくし、次のプリント位置合わせ処理へと進む。これは、本実施の形態では、この段階でプリント位置合わせ処理に十分な濃度が得られると想定してのことである。
【０２１８】
シングル・パルス５１からダブル・パルス５２、５３への変調によりインクの吐出量を変化させることができ、かつそのプレヒート・パルス５２のパルス幅変調によってもインクの吐出量の変更が行えることは、特開平５−０９２５６５号公報に開示されている。
【０２１９】
インク濃度が所定値を超えるか否かを測定する場合、濃度測定用の簡単なパッチを別に用意しておき、これをプリント位置合わせに先立ちプリントし、その濃度を測定する。次に前記方法に従い吐出量を変化させた後に、プリント位置調整のためのプリント・パターンのプリント、プリント位置の選定に移行してもよい。
【０２２０】
インクの吐出量ではなくインクの滴数を変えることによっても可能である。例えば、濃淡インクの染料濃度比が３：１であれば、淡インクを３滴打ち込んだときに濃インクを１滴打ち込んだ場合の濃度と近い濃度が得られる。プリント媒体８による滲みを考慮して、淡インクを２滴とすることも可能である。
【０２２１】
本実施の形態におけるプリント位置合わせの処理は、実施の形態１における往走査を第１のヘッドに、復走査を第２のヘッドに置き換えた処理と同様に行える。
【０２２２】
［実施の形態８］
実施の形態８は、複数のプリント・ヘッドを用いて第１のプリントと第２のプリントによりそれぞれプリントを行い、画像を形成するプリント方法である。詳しくは、往走査と復走査を行いそれぞれでプリントを行うことにより画像を形成するプリント方法において、往走査と復走査のプリント位置を相互に位置合わせするものである。本実施の形態に用いるプリント装置の構成、プリント位置合わせのためのプリント・パターンは前述の実施の形態７と同様である。プリント位置合わせの処理に関しても、前記実施の形態７における第１のプリントと第２のプリントの替わりに、往走査によるプリントと復走査によるプリントを用いることで同様に行える。
【０２２３】
（プリント位置合わせ条件選択処理）
本実施の形態では、前述の実施の形態７において第１のプリント・ヘッドによりプリントしていたドットを往走査で、第２のプリント・ヘッドによりプリントしていたドットを復走査でプリントして、プリント位置合わせ条件選択処理を行う。
【０２２４】
図３１は、本実施の形態のプリント位置合わせ条件選択処理手順のフローチャートを示す。
【０２２５】
図３１に示すように、ステップＳ８１でプリント・パターンをプリントし、このパターンの反射光学濃度の測定を実施の形態７と同様に行う。
【０２２６】
次に、ステップＳ８２において測定された反射光学濃度のうち最も反射光学濃度の大きいものが、所定値に入っているかを判定する。その範囲内にある場合はステップＳ８３の処理に進む。
【０２２７】
反射光学濃度が所定値より小さい場合はステップＳ８４へ進み、前記プリント・ヘッド１に搭載されているサブ・ヒータ１４２（図５）によりヘッドのインクの保温温度の変更（１度目は通常の２３℃から３０℃へ、２度目は３０℃から３５℃へ）を行い、インクの温度を上げる。こうして膜沸騰によるインクの吐出量が増加するようにしてステップＳ８１の処理に戻る。
【０２２８】
保温温度の変更パターンを細かく設定し数多く準備しておいて、２回目の判定でも不適当と判定された場合にさらに保温温度の変更できるようにして、判定を行う回数を増やしてもよい。しかし本実施の形態では、温度の変更パターンは３つ（２３℃、３０℃、３５℃）とし、２回目の判定で不適当と判断された場合は保温温度を変更した後、ステップ８３へと進むことにする。
【０２２９】
本実施の形態ではインクの保温にサブ・ヒータ１４２を用いているが、インクの吐出に用いる吐出ヒータ２５を駆動して保温も行わせてもよい。
【０２３０】
往復プリント間のキャリッジ走査方向での位置合わせにおいても、第１のプリントと第２のプリントでインク濃度の低いインクに対して打ち込み量の制御を行うことにより、さらに精度の高いプリント位置合わせを行うことができる。
【０２３１】
［実施の形態９］
実施の形態９は、複数のプリント・ヘッドを用いて第１のヘッドと第２のヘッドによりそれぞれプリントを行い、画像を形成するプリント方法である。詳しくは、第１のヘッドと第２のヘッドという異なるヘッド間のキャリッジ走査方向におけるプリント位置合わせに関するものである。
【０２３２】
本実施の形態に用いるプリント装置の構成、プリント位置合わせのためのプリント・パターン、およびプリント位置合わせ処理は前述の実施の形態７と同様とする。
【０２３３】
プリント・ヘッドにあらかじめ、ヘッドが搭載するインクの濃度と、そのインクを用いて位置合わせをする際に必要とされるインク量を吐出する条件とを記録しておく。この条件を使用してプリント位置合わせパターンをプリントして、そのプリント結果からプリント位置合わせ処理を行う。このようにして、最適なプリント位置の選定が可能となる。
【０２３４】
［実施の形態１０］
実施の形態１０は、複数のプリント・ヘッドを用いて第１のヘッドと第２のヘッドによりそれぞれプリントを行い、画像を形成するプリント方法である。詳しくは、第１のヘッドと第２のヘッドという異なるヘッド間のキャリッジ走査方向におけるプリント位置合わせに関するものである。
【０２３５】
まず後述のプリント・パターンを、第１のヘッドのプリントと第２のヘッドのプリントの相対的な位置条件を変えながらプリント媒体８上にプリントする。それらからユーザが目視により最も位置の合っている条件を選び出す。その後、ホスト・コンピュータを操作することにより、位置合わせ条件を設定する。
【０２３６】
本実施の形態に用いるプリント装置の構成は、実施の形態７の構成から図１または図２に模式図で示したキャリッジ２上に搭載された光学センサ３０を取り除いたものである。
【０２３７】
（プリント位置合わせのためのプリント・パターン）
図３２は、本実施の形態で用いるプリント位置合わせのためのプリント・パターンである。
【０２３８】
図３２において、上段の細い罫線５５は第１のヘッドでプリント媒体上にプリントされる罫線、下段の太い罫線５７は第２のヘッドでプリント媒体上にプリントされる罫線を示している。（ａ）から（ｅ）はプリント位置を示す。プリント位置（ｃ）は、第１のヘッドと第２のヘッドとでプリント状態があっている状態でプリントしたときの罫線を示している。プリント位置（ｂ）、（ｄ）はプリント位置が少しずれた状態、プリント位置（ａ）、（ｅ）はプリント位置が更にずれた状態でプリントした罫線を示している。
【０２３９】
（プリント位置合わせ条件選定、プリント位置合わせ処理）
このようなプリント位置合わせパターンを用いて位置合わせを実行する際、あらかじめプリント・ヘッドにヘッドが搭載するインクや、位置合わせの際の吐出量などの条件を記録しておく。この時、搭載しているインクが淡インクであるなら、同一画素への２度打ちを用いるように位置合わせ用の吐出条件を設定しておく。この条件の下でプリント位置合わせのプリント・パターンをプリントした後、このパターンの中からもっともプリント位置が合っている状態をユーザーが目視により選び出す。その後、ホスト・コンピュータを操作することにより、位置合わせ条件を設定する。
【０２４０】
以上の各実施の形態１から９は、よりよく位置合わせが行えるよう、適時組み合わせて用いることができるのはもちろんである。
【０２４１】
上記実施の形態１から１０のいずれの実施の形態についても、位置合わせのプリント・パターンをプリントする駆動周波数やヘッドの温度等の諸条件が、実際のプリントで使用する駆動周波数やヘッド温度と異なることがあるので、プリント位置合わせ条件判定後、必要によっては駆動周波数やヘッド温度等の違いに対し補正を行う。その補正は数式により計算して行ってもよい。または、あらかじめ位置合わせプリント・パターン毎に実際の諸条件に関するプリント・タイミングのデータを準備しておき、プリント位置合わせ条件判定の結果に従ってそれらをそのままプリント・タイミングとして用いるか、あるいは補完してプリント・タイミングを求めるかにより行うこともできる。
【０２４２】
以上の実施の形態では、インクジェット方式のプリント・ヘッドを用いて説明したが、本発明は、熱転写方式、昇華方式のプリント・ヘッドにも適用できる。また、本発明のプリントヘッドは、電子写真方式のプリント・ユニット等も含む概念であり、本発明は電子写真方式にも適用できる。
【０２４３】
本発明によれば、インクの吐出量自体の増加、複数インクの使用、およびそれらの組み合わせをおこなうことによって、そのプリント濃度を上げることができ、濃度の大きく異なるヘッド間におけるプリント位置あわせ調節、ならびに、往復プリントにおけるプリント位置あわせ調節が可能となる。
【０２４４】
この結果、ユーザーはインクの濃度および複数ヘッド間のヘッドの組み合わせに留意することなくプリント位置合わせを行うことが可能となる。
【０２４５】
（その他）
なお、本発明は、特にインク・ジェット・プリント方式の中でも、インク吐出を行わせるために利用されるエネルギとして熱エネルギを発生する手段（例えば電気熱変換体やレーザ光等）を備え、前記熱エネルギによりインクの状態変化を生起させる方式のプリント・ヘッド、プリント装置において優れた効果をもたらすものである。かかる方式によればプリントの高密度化，高精細化が達成できるからである。
【０２４６】
その代表的な構成や原理については、例えば、米国特許第４７２３１２９号明細書，同第４７４０７９６号明細書に開示されている基本的な原理を用いて行うものが好ましい。この方式は所謂オンデマンド型，コンティニュアス型のいずれにも適用可能であるが、特に、オンデマンド型の場合には、液体（インク）が保持されているシートや液路に対応して配置されている電気熱変換体に、プリント情報に対応していて核沸騰を越える急速な温度上昇を与える少なくとも１つの駆動信号を印加することによって、電気熱変換体に熱エネルギを発生せしめ、プリント・ヘッドの熱作用面に膜沸騰を生じさせて、結果的にこの駆動信号に一対一で対応した液体（インク）内の気泡を形成できるので有効である。この気泡の成長，収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書，同第４３４５２６２号明細書に記載されているようなものが適している。なお、上記熱作用面の温度上昇率に関する発明の米国特許第４３１３１２４号明細書に記載されている条件を採用すると、さらに優れたプリントを行うことができる。
【０２４７】
プリント・ヘッドの構成としては、上述の各明細書に開示されているような吐出口，液路，電気熱変換体の組合わせ構成（直線状液流路または直角液流路）の他に熱作用部が屈曲する領域に配置されている構成を開示する米国特許第４５５８３３３号明細書，米国特許第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギの圧力波を吸収する開孔を吐出部に対応させる構成を開示する特開昭５９−１３８４６１号公報に基いた構成としても本発明の効果は有効である。すなわち、プリント・ヘッドの形態がどのようなものであっても、本発明によればプリントを確実に効率よく行うことができるようになるからである。
【０２４８】
さらに、プリント装置がプリントできるプリント媒体の最大幅に対応した長さを有するフルライン・タイプのプリント・ヘッドに対しても本発明は有効に適用できる。そのようなプリント・ヘッドとしては、複数プリント・ヘッドの組合わせによってその長さを満たす構成や、一体的に形成された１個のプリント・ヘッドとしての構成のいずれでもよい。
【０２４９】
加えて、上例のようなシリアル・タイプのものでも、装置本体に固定されたプリント・ヘッド、あるいは装置本体に装着されることで装置本体との電気的な接続や装置本体からのインクの供給が可能になる交換自在のチップ・タイプのプリント・ヘッド、あるいはプリント・ヘッド自体に一体的にインク・タンクが設けられたカートリッジ・タイプのプリント・ヘッドを用いた場合にも本発明は有効である。
【０２５０】
また、本発明のプリント装置の構成として、プリント・ヘッドの吐出回復手段、予備的な補助手段等を付加することは本発明の効果を一層安定できるので、好ましいものである。これらを具体的に挙げれば、プリント・ヘッドに対してのキャッピング手段、クリーニング手段、加圧或は吸引手段、電気熱変換体或はこれとは別の加熱素子或はこれらの組み合わせを用いて加熱を行う予備加熱手段、プリントとは別の吐出を行なう予備吐出手段を挙げることができる。
【０２５１】
また、搭載されるプリント・ヘッドの種類ないし個数についても、例えば単色のインクに対応して１個のみが設けられたものの他、プリント色や濃度を異にする複数のインクに対応して複数個数設けられるものであってもよい。すなわち、例えばプリント装置のプリント・モードとしては黒色等の主流色のみのプリント・モードだけではなく、プリント・ヘッドを一体的に構成するか複数個の組み合わせによるかいずれでもよいが、異なる色の複色カラー、または混色によるフルカラーの各プリント・モードの少なくとも一つを備えた装置にも本発明は極めて有効である。
【０２５２】
さらに加えて、以上説明した本発明実施の形態においては、インクを液体として説明しているが、室温やそれ以下で固化するインクであって、室温で軟化もしくは液化するものを用いてもよく、あるいはインク・ジェット方式ではインク自体を３０℃以上７０℃以下の範囲内で温度調整を行ってインクの粘性を安定吐出範囲にあるように温度制御するものが一般的であるから、使用プリント信号付与時にインクが液状をなすものを用いてもよい。加えて、熱エネルギによる昇温を、インクの固形状態から液体状態への状態変化のエネルギとして使用せしめることで積極的に防止するため、またはインクの蒸発を防止するため、放置状態で固化し加熱によって液化するインクを用いてもよい。いずれにしても熱エネルギのプリント信号に応じた付与によってインクが液化し、液状インクが吐出されるものや、プリント媒体に到達する時点ではすでに固化し始めるもの等のような、熱エネルギの付与によって初めて液化する性質のインクを使用する場合も本発明は適用可能である。このような場合のインクは、特開昭５４−５６８４７号公報あるいは特開昭６０−７１２６０号公報に記載されるような、多孔質シート凹部または貫通孔に液状又は固形物として保持された状態で、電気熱変換体に対して対向するような形態としてもよい。本発明においては、上述した各インクに対して最も有効なものは、上述した膜沸騰方式を実行するものである。
【０２５３】
さらに加えて、本発明インク・ジェット・プリント装置の形態としては、コンピュータ等の情報処理機器の画像出力端末として用いられるものの他、リーダ等と組合わせた複写装置、さらには送受信機能を有するファクシミリ装置の形態を採るもの等であってもよい。
【０２５４】
【発明の効果】
以上説明したように、本発明によれば、プリント位置の複数のずれ量に対応して形成される、それぞれのずれ量に応じた光学特性を示す複数のパターンを形成し、これらパターンについて測定された複数の光学特性に基づいてプリント位置合わせ処理を行なうので、例えばパターンが示す光学特性のうち最も光学特性の高い条件又は最も低い条件をプリント位置が合った条件として設定することができる。
【０２５５】
さらに本発明によれば、プリント装置によりプリントしたパターンの反射光学濃度、透過光学濃度、反射光強度または光学反射率等を、キャリッジに搭載された光学センサで読み取る場合において、使用するプリント媒体、インクによる滲みによる影響を軽減し、打ち込み率を算出し、プリント位置合わせパターンを形成することにより、より正確なプリント位置合わせが可能である。
【０２５６】
この結果、ユーザーの手を煩わすことなく、簡易な構成でプリント位置合わせを行うことが可能となった。
【図面の簡単な説明】
【図１】本発明の一実施の形態に係るインク・ジェット・プリント装置の概略構成を一部破断で示す斜視図である。
【図２】本発明の他の実施の形態に係るインク・ジェット・プリント装置の概略構成を一部破断で示す斜視図である。
【図３】図１または図２に示したプリント・ヘッドの主要部の構造を模式的に示す斜視図である。
【図４】図１または図２に示した光学センサを説明するための模式図である。
【図５】本発明の一実施の形態に係るインク・ジェット・プリント装置における制御回路の概略構成を示すブロック図である。
【図６】本発明の実施の形態１で使用するプリント・パターンを示す模式図であり、（Ａ）はプリント位置が合っている状態、（Ｂ）は少しずれた状態、（Ｃ）はさらにずれた状態でプリントされたときのドットを示す模式図である。
【図７】本発明の実施の形態１で用いるプリント位置合わせのためのパターンを説明する図である模式図であり、（Ａ）はプリント位置が合っている状態、（Ｂ）は少しずれた状態、（Ｃ）はさらにずれた状態でプリントされたときのドットを示す模式図である。
【図８】本発明の実施の形態１のプリント・パターンにおけるプリント位置がずれた量と反射光学濃度との関係を示す図である。
【図９】本発明の実施の形態１の概略処理を示すフローチャートである。
【図１０】本発明の実施の形態１においてプリント・パターンをプリント媒体にプリントした状態を示す模式図である。
【図１１】本発明の実施の形態１におけるプリント位置合わせ条件の決定の方法を説明するための図である。
【図１２】測定された光学反射率とプリント位置パラメータとの関係を示す図である。
【図１３】本発明の実施の形態１におけるプリント・パターンの他の例を示す模式図であり、（Ａ）はプリント位置が合っている状態、（Ｂ）は少しずれた状態、（Ｃ）はさらにずれた状態でプリントされたときのドットを示す模式図である。
【図１４】本発明の実施の形態１におけるプリント・パターンのさらに他の例を示す模式図であり、（Ａ）はプリント位置が合っている状態、（Ｂ）は少しずれた状態、（Ｃ）はさらにずれた状態でプリントされたときのドットを示す模式図である。
【図１５】本発明の実施の形態１におけるプリント・パターンのさらに他の例を示す模式図であり、（Ａ）はプリント位置が合っている状態、（Ｂ）は少しずれた状態、（Ｃ）はさらにずれた状態でプリントされたときのドットを示す模式図である。
【図１６】本発明の実施の形態１におけるプリント・パターンのさらに他の例を示す模式図であり、（Ａ）はプリント位置が合っている状態、（Ｂ）は少しずれた状態、（Ｃ）はさらにずれた状態でプリントされたときのドットを示す模式図である。
【図１７】本発明の実施の形態２に係るプリント位置合わせ条件判定処理の手順を示すフローチャートである。
【図１８】本発明の実施の形態２におけるプリント・パターンのドット間距離による特性を説明するための模式図であり、（Ａ）はプリント位置が合っている状態、（Ｂ）は少しずれた状態、（Ｃ）はさらにずれた状態でプリントされたときのドットを示す模式図である。
【図１９】本発明の実施の形態２におけるプリント・パターンのドット間距離による特性を説明するための模式図であり、（Ａ）はプリント位置が合っている状態、（Ｂ）は少しずれた状態、（Ｃ）はさらにずれた状態でプリントされたときのドットを示す模式図である。
【図２０】本発明の実施の形態２におけるプリント・パターンのドット間距離に応じた反射光学濃度の特性を説明するための図である。
【図２１】本発明の実施の形態３に係るプリント・パターンを示す模式図であり、（Ａ）はプリント位置が合っている状態、（Ｂ）は少しずれた状態、（Ｃ）はさらにずれた状態でプリントされたときのドットを示す模式図である。
【図２２】本発明の実施の形態３におけるプリント吐出口のずれ量と反射光学濃度との関係を示す図である。
【図２３】本発明の実施の形態４で用いる最適な打ち込み率を判定するプリント・パターンを説明する模式図であり、（Ａ）はエリア・ファクタ２５％で、（Ｂ）はエリア・ファクタ５０％で、（Ｃ）はエリア・ファクタ７５％で、（Ｄ）はエリア・ファクタ１００％で、各々プリントした模式図である。
【図２４】本発明の実施の形態４における打ち込み率と光学反射率との関係を示す図である。
【図２５】本発明の実施の形態４に係るプリント位置合わせ基準パターンを１／２に間引いたパターンを示す模式図であり、（Ａ）はプリント位置が合っている状態、（Ｂ）は少しずれた状態、（Ｃ）はさらにずれた状態でプリントされたときのドットを示す模式図である。
【図２６】本発明の実施の形態４に係る最適打ち込み率判定とプリント位置合わせを同時に行うパターンを示す模式図であり、（Ａ）は打ち込み率２５％で、（Ｂ）は打ち込み率５０％で、（Ｃ）は打ち込み率７５％で、（Ｄ）は打ち込み率１００％で、各々プリントしたパターンを示す模式図である。
【図２７】本発明の実施の形態４におけるプリント・パターンをプリント媒体にプリントした状態を示す模式図である。
【図２８】本発明の実施の形態４におけるプリント位置合わせパターンの相対的なずらし量と反射光学濃度との関係を示す図である。
【図２９】本発明の実施の形態７に係る最適打ち込み率判定とプリント位置合わせを同時に行うパターンを示す模式図であり、（Ａ）はプリント位置が合っている状態、（Ｂ）は少しずれた状態、（Ｃ）はさらにずれた状態でプリントされたときのドットを示す模式図である。
【図３０】本発明の実施の形態７に係るプリント・ヘッド駆動パルスを示す図であり、（Ａ）はシングル・パルス、（Ｂ）はダブル・パルスを示す図である。
【図３１】本発明の実施の形態８に係るプリント位置合わせ条件判定処理の手順を示すフローチャートである。
【図３２】本発明の実施の形態１０で用いるプリント位置合わせのためのプリント・パターンを示す図である。
【符号の説明】
１、１Ａ、１Ｂ、１Ｃ、１Ｄ、１Ｅ、１Ｆ、４１Ａ、４１Ｂ、４１Ｃ、４１Ｄ、４１Ｅ、４１Ｆ  ヘッド・カートリッジ
２  キャリッジ
３  ガイド・シャフト
４  主走査モータ
５  モータ・プーリ
６  従動プーリ
７  タイミング・ベルト
８  プリント媒体
９、１０、１１、１２  搬送ローラ
１３  プリント・ヘッド部
２１  吐出口面
２２  吐出口
２３  共通液室
２４  液路
２５  電気熱変換体（吐出ヒータ）
３０  光学センサ
３１  発光部
３２  受光部
３５  入射光
３７  反射光
５１、５２、５３  パルス
５５、５７  罫線
６１、６２、６３、６４、６５、６６、６７、６８、６９  パッチ
１００  コントローラ
１０１  ＣＰＵ
１０３  ＲＯＭ
１０５  ＲＡＭ
１１０  ホスト装置
１１２  Ｉ／Ｆ
１２０  操作部
１２２  電源スイッチ
１２４  プリント・スイッチ
１２６  回復スイッチ
１２７  レジストレーション調整起動スイッチ
１２９  レジストレーション調整値設定入力部
１３０  センサ群
１３２  フォト・カプラ
１３４  温度センサ
１４０  ヘッド・ドライバ
１４２  サブヒータ
１５０、１６０  モータ・ドライバ
１５２、１６２  モータ
【図１】
0003554184.tif 000002
【図２】
0003554184.tif 000003
【図３】
0003554184.tif 000004
【図４】
0003554184.tif 000005
【図５】
0003554184.tif 000006
【図６】
0003554184.tif 000007
【図７】
0003554184.tif 000008
【図８】
0003554184.tif 000009
【図９】
0003554184.tif 000010
【図１０】
0003554184.tif 000011
【図１１】
0003554184.tif 000012
【図１２】
0003554184.tif 000013
【図１３】
0003554184.tif 000014
【図１４】
0003554184.tif 000015
【図１５】
0003554184.tif 000016
【図１６】
0003554184.tif 000017
【図１７】
0003554184.tif 000018
【図１８】
0003554184.tif 000019
【図１９】
0003554184.tif 000020
【図２０】
0003554184.tif 000021
【図２１】
0003554184.tif 000022
【図２２】
0003554184.tif 000023
【図２３】
0003554184.tif 000024
【図２４】
0003554184.tif 000025
【図２５】
0003554184.tif 000026
【図２６】
0003554184.tif 000027
【図２７】
0003554184.tif 000028
【図２８】
0003554184.tif 000029
【図２９】
0003554184.tif 000030
【図３０】
0003554184.tif 000031
【図３１】
0003554184.tif 000032
【図３２】
0003554184.tif 000033